(57)【要約】      （修正有）【課題】大型化に適し、表示ムラが抑制され、曲面に沿って表示することの可能な表示装置を提供する。【解決手段】表示パネル４０（４０ａ，４０ｂ）と、板５０ａ，５０ｂと、ステージ６１ａ，６１ｂと、駆動回路６２ａ，６２ｂと、調整手段６３ａ，６３ｂとを各２つ備え、かつフレームを備える表示装置２０Ａであって、表示パネル４０は表示部４１と、動作回路部４３と、端子４５と、外部電極４６と、透明部４２と、第１の部分４４を備え、かつ可撓性を有し、透明部は可視光を透過する領域を含み、表示パネルは、板と、透明部と表示部の一部が板から迫り出すように固定され、２つの表示パネルの一方の表示部と他方の透明部とが重なる表示装置とする。【選択図】図１
2019207421.tif 000002
【特許請求の範囲】
【請求項１】
第１の表示パネルと、第２の表示パネルと、第１のステージと、第２のステージと、第１の駆動回路と、第２の駆動回路と、を有し、
前記第１の駆動回路は、前記第１の表示パネルを駆動する信号を出力する機能を有し、
前記第２の駆動回路は、前記第２の表示パネルを駆動する信号を出力する機能を有し、
前記第１のステージは前記第１の駆動回路を配置する領域を有し、
前記第２のステージは前記第２の駆動回路を配置する領域を有し、
前記第１の表示パネル及び第２の表示パネルは、それぞれ、可撓性を有し、
前記第１の表示パネルは、第１の動作回路部と、第１の外部電極と、第１の表示部と、第１の透明部と、を有し、
前記第２の表示パネルは、第２の動作回路部と、第２の外部電極と、第２の表示部と、第２の透明部と、を有し、
前記第１の動作回路部は、前記第１の表示部と隣接し、
前記第１の動作回路部は、前記第１の表示部へ信号を出力する回路を有し、
前記第１の外部電極は、前記第１の駆動回路から出力された信号を前記第１の動作回路部に伝達する機能を有し、
前記第１の透明部は、前記第１の動作回路部と重ならず、且つ前記第１の表示部の一辺と隣接し、
前記第２の動作回路部は、前記第２の表示部と隣接し、
前記第２の動作回路部は、前記第２の表示部へ信号を出力する回路を有し、
前記第２の外部電極は、前記第２の駆動回路から出力された信号を前記第２の動作回路部に伝達する機能を有し、
前記第２の透明部は、前記第２の動作回路部と重ならず、且つ前記第２の表示部の一辺と隣接し、
前記第１の表示部と、前記第２の透明部とが重なる、表示装置。
【請求項２】
請求項１に記載の表示装置であって、
映像信号分割器と、映像出力手段を備え、
前記映像出力手段は、映像信号または画像信号を前記映像信号分割器に出力する機能を有し、
前記映像信号分割器は、入力された映像信号または画像信号を複数の信号に分割して前記第１の表示パネル及び前記第２の表示パネルに出力する機能を有する、表示装置。
【発明の詳細な説明】
【技術分野】
【０００１】
本発明の一態様は、表示装置に関する。
【０００２】
なお本発明の一態様は、上記の技術分野に限定されない。本明細書等で開示する発明の
一態様の技術分野は、物、方法、または、製造方法に関するものである。または、本発明
の一態様は、プロセス、マシン、マニュファクチャ、または、組成物（コンポジション・
オブ・マター）に関するものである。そのため、より具体的に本明細書で開示する本発明
の一態様の技術分野としては、半導体装置、表示装置、発光装置、照明装置、蓄電装置、
記憶装置、入力装置、それらの駆動方法、または、それらの製造方法、を一例として挙げ
ることができる。
【背景技術】
【０００３】
近年、表示装置の大型化が求められている。例えば、家庭用のテレビジョン装置（テレ
ビ、またはテレビジョン受信機ともいう）、デジタルサイネージ（Ｄｉｇｉｔａｌ  Ｓｉ
ｇｎａｇｅ：電子看板）や、ＰＩＤ（Ｐｕｂｌｉｃ  Ｉｎｆｏｒｍａｔｉｏｎ  Ｄｉｓｐ
ｌａｙ）などが挙げられる。また、デジタルサイネージや、ＰＩＤなどは、大型であるほ
ど提供できる情報量を増やすことができ、また広告等に用いる場合には大型であるほど人
の目につきやすく、広告の宣伝効果を高めることが期待される。
【０００４】
表示装置としては、代表的には有機ＥＬ（Ｅｌｅｃｔｒｏ  Ｌｕｍｉｎｅｓｃｅｎｃｅ
）素子や発光ダイオード（ＬＥＤ：Ｌｉｇｈｔ  Ｅｍｉｔｔｉｎｇ  Ｄｉｏｄｅ）等の発
光素子を備える発光装置、液晶表示装置、電気泳動方式などにより表示を行う電子ペーパ
ーなどが挙げられる。
【０００５】
例えば、有機ＥＬ素子の基本的な構成は、一対の電極間に発光性の有機化合物を含む層
を挟持したものである。この素子に電圧を印加することにより、発光性の有機化合物から
発光を得ることができる。このような有機ＥＬ素子が適用された表示装置は、液晶表示装
置等で必要であったバックライトが不要なため、薄型、軽量、高コントラストで且つ低消
費電力な表示装置を実現できる。例えば、有機ＥＬ素子を用いた表示装置の一例が、特許
文献１に開示されている。
【０００６】
また、特許文献２には、フィルム基板上に、スイッチング素子であるトランジスタや有
機ＥＬ素子を備えたフレキシブルなアクティブマトリクス型の発光装置が開示されている
。
【先行技術文献】
【特許文献】
【０００７】
【特許文献１】特開２００２−３２４６７３号公報
【特許文献２】特開２００３−１７４１５３号公報
【発明の概要】
【発明が解決しようとする課題】
【０００８】
本発明の一態様は、大型化に適した表示装置を提供することを課題の一とする。または
、本発明の一態様は、表示ムラの抑制された表示装置を提供することを課題の一とする。
または、本発明の一態様は、表示面内において均一な表示を可能とする表示装置を提供す
ることを課題の一とする。または、本発明の一態様は、表示面内において継ぎ目が認識さ
れにくい表示を可能とする表示装置を提供することを課題の一とする。
【０００９】
または、新規な表示装置を提供することを課題の一とする。
【００１０】
なお、これらの課題の記載は、他の課題の存在を妨げるものではない。本発明の一態様
は、これらの課題の全てを解決する必要はないものとする。また、上記以外の課題は、明
細書等の記載から自ずと明らかになるものであり、明細書等の記載から上記以外の課題を
抽出することが可能である。
【課題を解決するための手段】
【００１１】
本発明の一態様は、表示パネルと、板と、ステージと、駆動回路と、調整手段と、を各
２つ備え、かつフレームを備える表示装置であって、フレームは、複数の柱と、複数の梁
と、複数の底板とを備え、調整手段は、ステージの位置と角度を調整する機能を有し、か
つフレームに固定され、駆動回路は、表示パネルを駆動する信号を出力する機能を有し、
ステージは、調整手段に固定され、かつ駆動回路および板を配置する領域を備え、板は、
第１の面にステージと接続する機構を備え、かつ板の一側面に凸部曲面を備え、表示パネ
ルは、表示部と、動作回路部と、端子と、外部電極と、透明部と、第１の部分とを備え、
かつ可撓性を有し、表示部は、画像を表示する機能を有し、動作回路部は、表示部へ信号
を出力する機能を有する回路および回路と端子とを電気的に接続する配線を備え、かつ表
示部に隣接する領域に位置し、端子は、外部電極と電気的に接続され、外部電極は、駆動
回路から出力された信号を動作回路部に伝達する機能を有し、透明部は、可視光を透過す
る領域を含み、かつ動作回路と重ならずかつ表示部の１辺と隣接する領域に位置し、第１
の部分は、表示パネルにおける端子と表示部との間の領域を含み、表示パネルは、表示部
が画像を表示する面と対向する面と、板の第１の面と対向する第２の面とが、透明部と表
示部の一部が板から迫り出すように固定され、かつ第１の部分が凸部曲面に沿うように配
置され、２つの表示パネルの一方の表示部と他方の透明部とが重なる、表示装置である。
【００１２】
また、上記の表示装置であって、映像信号分割器と、映像出力手段とを備え、映像出力
手段は、映像信号または画像信号を映像信号分割器に出力する機能を有し、映像信号分割
器は、入力された映像信号または画像信号を複数の信号に分割して駆動回路に出力する機
能を有する表示装置も、本発明の一態様である。
【００１３】
また、上記の表示装置であって、透明部は、動作回路と重ならずかつ表示部の２辺と隣
接する領域に位置し、２つの表示パネルの一方の第１の部分と、他方の第１の部分とが重
なる表示装置も、本発明の一態様である。
【００１４】
また、上記の表示装置において、駆動回路は、表示パネルが表示する画像または映像の
色調や輝度などを調整する機能を有することが好ましい。
【００１５】
また、上記の表示装置であって、表示部は、複数の画素を備え、複数の画素は、発光素
子とトランジスタを備え、発光素子は、下部電極と、上部電極と、下部電極および上部電
極に挟持されたＥＬ層を備える表示装置も、本発明の一態様である。
【００１６】
また、上記の表示装置であって、表示部は、補助電極を備え、補助電極は、隣接する複
数の下部電極間において上部電極と接触する表示装置も、本発明の一態様である。
【発明の効果】
【００１７】
本発明の一態様によれば、大型化に適した表示装置を提供できる。または、本発明の一
態様によれば、表示ムラの抑制された表示装置を提供できる。または、本発明の一態様に
よれば、表示面内において均一な表示を可能とする表示装置を提供できる。または、本発
明の一態様によれば、表示面内において継ぎ目が認識されにくい表示を可能とする表示装
置を提供できる。
【００１８】
または、新規な表示装置を提供できる。なお、これらの効果の記載は、他の効果の存在
を妨げるものではない。なお、本発明の一態様は、必ずしも、これらの効果の全てを有す
る必要はない。なお、これら以外の効果は、明細書、図面、請求項などの記載から、自ず
と明らかとなるものであり、明細書、図面、請求項などの記載から、これら以外の効果を
抽出することが可能である。
【図面の簡単な説明】
【００１９】
【図１】実施の形態に係る、表示装置を説明する図。
【図２】実施の形態に係る、表示装置を説明する図。
【図３】実施の形態に係る、表示装置を説明する図。
【図４】実施の形態に係る、表示装置を説明する図。
【図５】実施の形態に係る、表示装置を説明する図。
【図６】実施の形態に係る、表示パネルを説明する図。
【図７】実施の形態に係る、表示パネルを説明する図。
【図８】実施の形態に係る、表示パネルの位置関係を説明する図。
【図９】実施の形態に係る、表示パネルを説明する図。
【図１０】実施の形態に係る、表示パネルを説明する図。
【図１１】実施の形態に係る、表示パネルを説明する図。
【図１２】実施の形態に係る、表示パネルの画素の回路図。
【図１３】実施の形態に係る、表示パネルの画素の回路図。
【図１４】実施の形態に係る、表示パネルの画素の回路図。
【図１５】実施の形態に係る、表示パネルの画素の回路図。
【図１６】実施の形態に係る、表示パネルの画素の回路図。
【図１７】実施の形態に係る、表示パネルを説明する図。
【図１８】実施の形態に係る、タッチパネルを説明する図。
【図１９】実施の形態に係る、タッチパネルを説明する図。
【図２０】実施の形態に係る、タッチパネルを説明する図。
【図２１】実施の形態に係る、タッチパネルを説明する図。
【図２２】実施の形態に係る、タッチパネルを説明する図。
【図２３】実施の形態に係る、タッチパネルを説明する図。
【図２４】実施の形態に係る、タッチパネルを説明する図。
【図２５】実施の形態に係る、タッチパネルを説明する図。
【図２６】実施の形態に係る、タッチパネルを説明する図。
【図２７】実施の形態に係る、タッチパネルを説明する図。
【図２８】実施例に係る、表示パネルの写真。
【図２９】実施例に係る、表示装置の写真。
【図３０】実施例に係る、表示パネルの写真。
【図３１】実施例に係る、表示装置の写真。
【図３２】実施例に係る、表示装置の写真。
【図３３】実施例に係る、表示装置の写真。
【図３４】実施例に係る、表示装置の写真。
【発明を実施するための形態】
【００２０】
実施の形態について、図面を用いて詳細に説明する。但し、本発明は以下の説明に限定
されず、本発明の趣旨及びその範囲から逸脱することなくその形態及び詳細を様々に変更
し得ることは当業者であれば容易に理解される。従って、本発明は以下に示す実施の形態
の記載内容に限定して解釈されるものではない。
【００２１】
なお、以下に説明する発明の構成において、同一部分又は同様な機能を有する部分には
同一の符号を異なる図面間で共通して用い、その繰り返しの説明は省略する。また、同様
の機能を指す場合には、ハッチパターンを同じくし、特に符号を付さない場合がある。
【００２２】
なお、本明細書で説明する各図において、各構成の大きさ、層の厚さ、または領域は、
明瞭化のために誇張されている場合がある。よって、必ずしもそのスケールに限定されな
い。
【００２３】
なお、本明細書等における「第１」、「第２」等の序数詞は、構成要素の混同を避ける
ために付すものであり、数的に限定するものではない。
【００２４】
なお、本明細書において、ＡがＢより迫り出した形状を有すると記載する場合、上面図
または断面図において、Ａの少なくとも一端が、Ｂの少なくとも一端よりも外側にある形
状を有することを示す場合がある。
【００２５】
なお、「膜」という言葉と、「層」という言葉とは、場合によっては、または、状況に
応じて、互いに入れ替えることが可能である。例えば、「導電層」という用語を、「導電
膜」という用語に変更することが可能な場合がある。または、例えば、「絶縁膜」という
用語を、「絶縁層」という用語に変更することが可能な場合がある。
【００２６】
（実施の形態１）
本実施の形態では、本発明の一態様の表示装置の構成例について、図面を参照して説明
する。
【００２７】
本発明の一態様の表示装置に含まれる２つの表示パネルは、表示部の１辺に隣接して透
明部を備える。表示部は画像を表示する機能を有し、透明部は表示部の発する光を透過す
る。２つの表示パネルが互いに重なるように配置し、かつ一方の表示パネルの透明部と他
方の表示パネルの表示部が重なるように配置することで、表示装置は継ぎ目が認識されに
くい大画面の表示を行うことができる。
【００２８】
以下より、表示装置の各構成について詳細に説明する。
【００２９】
図１（Ａ）に、表示装置２０Ａの正面図を示し、図１（Ｂ）に図１（Ａ）の一点鎖線Ｙ
１−Ｙ２に対応する表示装置２０Ａの断面図を示す。
【００３０】
表示装置２０Ａは、表示パネル４０と、板５０と、ステージ６１と、駆動回路６２と、
調整手段６３と、をそれぞれ２つ備え、かつフレーム２１Ａを備える。
【００３１】
なお、表示装置２０Ａが２つ有する要素において、各々一方の符号の後にａを付し、他
方の符号の後にｂを付すものとする。また、以下の説明において２要素に共通する事項に
ついては、符号の後にａまたはｂを付さない場合がある。この表記は、後述する表示装置
１０および表示装置２０Ｂが２つ有する要素においても同様に行う。
【００３２】
また、板５０および表示パネル４０を取り除いた状態の表示装置２０Ａを図２（Ａ）お
よび図２（Ｂ）に示す。図２（Ａ）に、表示装置２０Ａの正面図を示し、図２（Ｂ）に図
２（Ａ）の一点鎖線Ｙ３−Ｙ４に対応する表示装置２０Ａの断面図を示す。図２（Ａ）に
は、図１（Ａ）において図示されていない表示装置２０Ａの要素および符号が含まれてい
る。
【００３３】
表示装置２０Ａにおいて、表示パネル４０はその一部を湾曲させて板５０に取り付けら
れている（図１（Ｂ）参照）。表示パネル４０が単体で平面に置かれた状態の上面図を図
１（Ｃ）に示す。
【００３４】
表示装置２０Ａは、表示パネル４０ａの表示部４１ａと表示パネル４０ｂの表示部４１
ｂとを継ぎ目なく並べることで、表示部１１Ａを１つの表示領域として画像や映像を表示
することができる。表示部１１Ａは、図１（Ａ）において太い破線で囲んだ領域である。
【００３５】
フレーム２１Ａは、複数の柱および複数の梁を備える。またフレーム２１Ａは、２つの
調整手段６３を設置することができる。本実施の形態では、調整手段６３がフレーム２１
Ａの梁に固定されている（図２（Ａ）参照）。
【００３６】
フレーム２１Ａとしては、加工性が良く、かつ変形しにくい金属材料を用いることがで
きる。金属材料としては例えば、アルミニウム、銅、マンガン、マグネシウムやそれらの
合金（アルミニウム合金）、または鉄、クロム、ニッケルやそれらの合金（ステンレス鋼
）などが挙げられる。
【００３７】
調整手段６３は、調整手段６３の上部に固定されているステージ６１の位置と角度を調
整する機能を有する。具体的には調整手段６３は、ステージ６１と接続している表示パネ
ル４０の位置をＸ軸方向または／およびＹ軸方向に移動させ、またＺ軸を回転軸として回
転させることができる。
【００３８】
調整手段６３により、２つの表示パネル４０の一方の表示部４１ａと他方の表示部４１
ｂとが隙間なくかつ平行に配置されるように、表示パネル４０の位置を調整することがで
きる。
【００３９】
調整手段６３としては、例えば図１（Ｂ）のＸ軸方向の位置調整を行う１軸ステージ（
Ｘ軸ステージともいう）と、Ｙ軸方向の位置調整を行う１軸ステージ（Ｙ軸ステージとも
いう）と、Ｚ軸を回転軸として回転する方向の位置調整を行う傾斜ステージ（ゴニオステ
ージともいう）とを組み合わせて用いることができる。また、Ｘ軸方向とＹ軸方向の位置
調整を行う２軸ステージと傾斜ステージとを組み合わせて用いてもよい。本実施の形態で
は、フレーム２１Ａに固定されている側からＸ軸ステージ、Ｙ軸ステージ、ゴニオステー
ジを組み合わせて調整手段６３としている（図２（Ａ）および図２（Ｂ）参照）。
【００４０】
駆動回路６２は、駆動回路６２に入力された画像や映像の信号を表示パネル４０を駆動
する信号に変換して表示パネル４０に出力する機能を有する。また、駆動回路６２は表示
パネル４０の発光に要する電源電圧を供給する機能を有する。
【００４１】
また、駆動回路６２が、表示パネル４０の表示における色調や輝度などを調整する機能
を有すると、表示パネル４０ａと表示パネル４０ｂとの間で表示性能にばらつきがあった
場合に、そのばらつきを補正できるため好ましい。
【００４２】
駆動回路６２が画像や映像の信号を生成する機能を有していてもよい。また、駆動回路
６２にはケーブル６４が接続されていてもよい。例えば、外部の映像出力器からケーブル
６４を通じて駆動回路６２に信号を入力することができる（図２（Ｂ）参照）。
【００４３】
図３（Ａ）に、本発明の一態様の表示装置１０の側面図を示す。表示装置１０は、表示
装置２０Ａと、映像信号分割器２２と、映像出力手段２３とを備える。表示装置１０にお
いて、例えばフレーム２１はフレーム２１Ａを含み、かつ映像信号分割器２２および映像
出力手段２３を設置する複数の底板を備える。フレーム２１としては、フレーム２１Ａと
同様の金属材料を用いることができる。
【００４４】
表示装置１０において、駆動回路６２ａおよび駆動回路６２ｂは、それぞれケーブル６
４ａ、ケーブル６４ｂによって映像信号分割器２２と電気的に接続されている。また、映
像信号分割器２２はケーブル６５によって映像出力手段２３と電気的に接続されている。
なお、図３（Ａ）では、表示パネル４０と、板５０と、ステージ６１とを、１つにまとめ
て要素群６０（６０ａ、６０ｂ）としている。
【００４５】
映像出力手段２３は表示パネル４０ａ、４０ｂが表示する画像や映像の信号を、映像信
号分割器２２に出力する機能を有する。映像出力手段２３として、例えばブルーレイディ
スクレコーダやＤＶＤ（Ｄｉｇｉｔａｌ  Ｖｅｒｓａｔｉｌｅ  Ｄｉｓｃ）ディスクレコ
ーダなどの録画再生装置を用いることができる。
【００４６】
また、複数の表示パネルをタイル状に並べて表示装置を構成する場合は、映像出力手段
２３として４Ｋ（画素数３８４０×２１６０）や８Ｋ（画素数７６８０×４３２０）等の
画面解像度の高い画像を非圧縮で出力できる非圧縮ディスクレコーダ（ＵＤＲ：Ｕｎｃｏ
ｍｐｒｅｓｓｅｄ  Ｄｉｓｋ  Ｒｅｃｏｒｄｅｒともいう）を好適に用いることができる
。タイル状に並べる表示パネルの個数としては、例えば９個（３×３）や３６個（６×６
）などが挙げられる。
【００４７】
映像信号分割器２２は、入力された画像や映像の信号を分割して複数の駆動回路や表示
装置に出力する機能を有する。
【００４８】
例えば、ある画面解像度の画像信号を映像信号分割器２２によって９等分に分割して９
つの表示装置に出力する場合、出力先の個々の表示装置が受け取る画像信号をもとに表示
される画像は、元の画像とピクセルアスペクトが等しく、画面解像度は１／９となる。そ
して元の画像信号を分割した順番に対応するように９つの表示装置の表示領域を並べるこ
とで、元の画像の画面解像度を維持した表示を行うことができる。なお、ここでピクセル
アスペクトとは、画像の画面解像度の縦と横の比を指す。また画面解像度とは、表示装置
の表示部を構成する総画素数、または画像を構成する総画素数を指す。
【００４９】
本実施の形態では、映像信号分割器２２に入力された画像や映像の信号を、２つに分割
して２つの駆動回路６２に出力するものとする。
【００５０】
表示装置２０Ａの説明に戻る。ステージ６１は、駆動回路６２および板５０を配置でき
る領域を備える（図１（Ｂ）参照）。ステージ６１が駆動回路６２を設置できる領域を有
することで、駆動回路６２の仕様変更やメンテナンスにおいて部品を取り換えることなど
を容易に行うことができる。
【００５１】
なお、駆動回路６２の容積を小さくし、ステージ６１の、板５０を取り付けられる領域
と反対側の面に取り付けられるようにしてもよい。このようにすることで、ステージ６１
の駆動回路６２を設置できる領域を小さくし、表示装置２０Ａの奥行き（図１（Ｂ）にお
けるＺ軸方向の長さ）を小さくすることができる。
【００５２】
ステージ６１としては、フレーム２１Ａと同様の金属材料を用いることができる。
【００５３】
板５０は、第１の面にステージ６１と接続する機構を備え、かつ一側面に凸部曲面を備
える（図１（Ｂ）参照）。また板５０は、第１の面と反対側の面（以下、第２の面と記す
）に、表示パネル４０を配置する領域を有する。本実施の形態では、該機構はステージ６
１の一部と嵌合できる切り欠き５１およびＹ軸方向にスライドする留め具５２からなるが
、これに限られない。なお、板５０がステージ６１と接続する機構を有さず、ステージ６
１が板５０をステージ６１に設置するための機構を備えていてもよい。
【００５４】
調整手段６３によって表示部４１ａと表示部４１ｂとの相対位置の調整を精密に行うた
めに、板５０をステージ６１に精度良く接続することが求められる。板５０とステージ６
１のＹ軸方向の位置合わせは、切り欠き５１および留め具５２によって行うことができる
。板５０とステージ６１のＸ軸方向の位置合わせは、例えば後述するガイド５３によって
行うことができる。
【００５５】
板５０としては、フレーム２１Ａと同様の金属材料を用いることができる。
【００５６】
表示パネル４０は、表示部４１、透明部４２、動作回路部４３、端子４５、および外部
電極４６を備える（図１（Ｃ）参照）。また、表示パネル４０は可撓性を有する。
【００５７】
端子４５は、動作回路部４３が有する配線および外部電極４６と電気的に接続されてい
る。また、外部電極４６は駆動回路６２と電気的に接続され、外部電極４６を介して駆動
回路６２から表示パネル４０へ信号が出力される（図１（Ｂ）参照）。本実施の形態では
、外部電極４６の一例としてＦＰＣ（Ｆｌｅｘｉｂｌｅ  Ｐｒｉｎｔｅｄ  Ｃｉｒｃｕｉ
ｔ）を用いている。
【００５８】
表示部４１は、画像を表示する機能を有する。また、表示部４１は有機ＥＬ素子などの
発光素子を備えていてもよい。
【００５９】
動作回路部４３は、表示部４１へ信号を出力する機能を有する。たとえば動作回路部４
３は、走査線駆動回路や信号線駆動回路を含む。また、走査線駆動回路や信号線駆動回路
と外部電極４６とを接続する配線も動作回路部４３に含まれる。
【００６０】
表示パネル４０は、動作回路部４３を表示部４１に隣接する位置に備える。図１（Ｃ）
では動作回路部４３が表示部４１の２辺に隣接する構成を示しているが、動作回路部４３
が表示部４１の１辺に隣接する構成としてもよい。また動作回路部４３は、走査線駆動回
路等の構成に応じて可視光を透過しない領域であってもよく、可視光を透過する領域であ
ってもよい。
【００６１】
透明部４２は、可視光を透過する領域を含む。また透明部４２は、表示部４１と隣接し
、かつ動作回路部４３と重ならない領域に位置する。
【００６２】
図１（Ｃ）では透明部４２は表示部４１の下辺（端子４５のある方向と反対側の辺）に
隣接する位置にある例を示しているが、これに限られない。たとえば、透明部４２が表示
部４１の右辺（動作回路部４３と隣接する表示部４１の辺のうちの長辺と対向する辺）に
隣接する位置にあってもよい。
【００６３】
また、透明部４２が表示部４１の２辺（例えば、上記の下辺および右辺）に隣接する位
置にあってもよい。透明部４２が表示部４１の２辺に隣接する位置にあると、表示パネル
４０をタイル状に継ぎ目なく並べることができるため好ましい。また、表示部４１と透明
部４２の隙間をなくすことで、複数の表示パネル４０をタイル状に並べて継ぎ目が認識さ
れにくい大画面の表示が可能となる。
【００６４】
透明部４２の透過率が高いと、表示部４１の表示において透明部４２が手前にある領域
とそれ以外の領域との境界を視認しにくくなるため好ましい。また、透明部４２を構成す
る材料の屈折率が１に近いと、外光反射を抑えることができるため好ましい。
【００６５】
透明部４２の幅（図１（Ｂ）におけるＹ軸方向の長さ）は、表示パネル４０の端部から
、表示部４１の透明部４２と隣接する辺までの距離と等しい（図１（Ｃ）参照）。また、
透明部４２は、表示部４１の有する発光素子へ水などの不純物が浸入すること抑制する機
能を有する封止層を含んでいてもよい。すなわち、透明部４２の幅は、該封止層の封止性
能または／および該発光素子に要求される信頼性に応じて設定することができる。
【００６６】
なお、表示パネルの具体的な構成については、実施の形態２で詳述する。
【００６７】
次に、２つの表示パネル４０をＹ軸方向に表示部４１ａと表示部４１ｂとの継ぎ目なく
並べる構成について、図１（Ｂ）を用いて説明する。
【００６８】
なお、図１（Ａ）および図１（Ｂ）において、２つの表示パネルのうち後方に位置する
パネル（表示部４１の前面に、他の表示パネルの透明部４２が重なる表示パネル）を表示
パネル４０ａ、前方に位置するパネルを表示パネル４０ｂとする。また、表示パネル４０
ａと板５０ａとの位置関係および接続関係は、表示パネル４０ｂと板５０ｂとの位置関係
および接続関係と等しいものとする。
【００６９】
図１（Ｂ）において、表示パネル４０の表示部４１の表示を視認できる面と対向する面
（以下、表示裏面と記す）と、板５０の第２の面および凸部曲面とが接している。
【００７０】
該表示裏面と該第２の面は接着されてもよく、また着脱可能に固定されていてもよい。
該表示裏面と該第２の面が着脱可能であることで、表示パネル４０の交換を容易に行うこ
とができる。
【００７１】
該表示裏面と該第２の面を着脱可能に固定する方法として、例えば吸着性を有するフィ
ルム（以下、吸着フィルムと記す）を用いることができる。吸着フィルムは、被着体と該
フィルムとの間の空気を除去し、低圧または真空状態を作り出すことで被着体に吸着する
機能を有する。また、該表示裏面と該第２の面を着脱可能に固定する方法として、粘着性
を有するフィルムを用いてもよい。
【００７２】
吸着フィルムまたは粘着性を有するフィルムを用いて該表示裏面と該第２の面を固定す
る場合、これらのフィルムをまず該第２の面に貼り付ける。これらのフィルムを該第２の
面の全面に貼り付けてもよく、また一部に貼り付けてもよい。その際に、少なくとも該第
２の面の凸部曲面近傍の領域にこれらのフィルムを貼り付けることが好ましい。このよう
な構成とすることで、表示パネル４０の第１の部分４４を該凸部曲面に沿わせて曲げる場
合に、表示部４１の上側近傍の表示パネル４０が該第２の面から浮き上がってしまうこと
を抑制できる。
【００７３】
表示パネル４０において、端子４５と表示部４１との間の領域を第１の部分４４とする
（図１（Ｃ）参照）。第１の部分４４は、図１（Ｂ）に示すように板５０の凸部曲面に沿
うように配置することが好ましい。
【００７４】
また、第１の部分４４と該凸部曲面とは、固定されていないことが好ましい。このよう
な構成とすることで、外部電極４６の可動範囲が広くなり、外部電極４６と駆動回路６２
との接続の自由度を高めることができる。また、後述するように２つの表示パネル８０を
Ｘ軸方向に並べる作業を容易に行うことができる。
【００７５】
なお、表示パネル４０の第１の部分４４は、図３（Ｂ）に示すように板５０の凸部曲面
の全部ではなく一部に沿うように配置してもよい。このような構成とすることで、第１の
部分４４を湾曲させる角度を小さくし、表示パネル４０にかかる物理的な負担を小さくす
ることができる。
【００７６】
図１（Ｂ）に示すように、表示パネル４０ｂは、透明部４２ｂと表示部４１ｂの一部が
板５０ｂから迫り出すように板５０ｂと固定される。表示部４１ｂの一部が板５０ｂから
迫り出すことで、板５０ｂと第１の部分４４ａとを接触させることなく表示パネル４０ａ
上に表示部４１ｂを配置することができる。
【００７７】
表示部４１ｂが板５０ｂから迫り出すＹ軸方向の長さは、例えば表示部４１ａの上辺と
表示部４１ｂの下辺がＺ軸方向において重なるように決定することができる。
【００７８】
透明部４２ｂと表示部４１ａとが接する部分においては、透明部４２ｂと表示部４１ａ
との間に空気等が含まれないようにすることが好ましい。また、透明部４２ｂと表示部４
１ａとが、着脱可能に固定されることが好ましい。
【００７９】
透明部４２ｂと表示部４１ａとを着脱可能に固定する方法として、例えば上記の吸着フ
ィルムを用いることができる。吸着フィルムを用いる場合、透明部４２ｂを構成する材料
の屈折率と、吸着フィルムを構成する材料の屈折率の差が小さいことが好ましい。このよ
うな構成とすることで、透明部４２ｂと吸着フィルムの界面での外光反射を抑え、透明部
４２ｂと重なる位置にある表示部４１ａの表示の視認性を向上させることができる。
【００８０】
また、表示パネル４０は可撓性を有するため、板５０ａと板５０ｂとを各々の第２の面
が一つの面を成すように並べ、かつ板５０ｂから迫り出した表示パネル４０ｂの一部を湾
曲させて表示パネル４０ａの表面に配置することができる。
【００８１】
板５０ａと板５０ｂとを各々の第２の面が一つの面を成すように並べることで、表示部
１１Ａの表示面を階段状にすることなく、概ね平面状に構成することができる。
【００８２】
以下に、表示パネル４０ａ、４０ｂを表示装置２０Ａに設置する手順について図１（Ａ
）、（Ｂ）および図２（Ａ）、（Ｂ）を用いて説明する。
【００８３】
調整手段６３ａ、６３ｂ、ステージ６１ａ、６１ｂはあらかじめフレーム２１Ａに設置
されているとする。まず、駆動回路６２ａ、６２ｂをそれぞれステージ６１ａ、６１ｂ上
に設置する（図２（Ａ）、（Ｂ）参照）。
【００８４】
次に、板５０ａに表示パネル４０ａを接着または着脱可能に固定する。具体的には、表
示パネル４０ａの表示裏面と板５０ａの第２の面とを吸着フィルムや粘着性を有するフィ
ルムを介して密着させる。このとき、第１の部分４４ａと板５０ａの凸部曲面とは固定さ
れていないことが好ましい。
【００８５】
板５０ａをステージ６１ａに設置する。具体的には、切り欠き５１ａをステージ６１ａ
の一部に嵌め込み、板５０ａの第１の面とステージ６１ａの一側面とを接するように重ね
てから、留め具５２ａを引き上げることで板５０ａをステージ６１ａに固定する。そして
、外部電極４６ａと駆動回路６２ａとを接続する。
【００８６】
次に、板５０ｂに表示パネル４０ｂを固定する。板５０ｂに表示パネル４０ｂを固定す
る方法は、上記の板５０ａに表示パネル４０ａを固定する方法と同様である。
【００８７】
板５０ｂを、ステージ６１ｂに設置する。板５０ｂをステージ６１ｂに設置する方法も
板５０ａをステージ６１ａに設置する方法と同様であるが、板５０ｂから迫り出した表示
パネル４０ｂの一部が表示パネル４０ａの前面に位置するように取り付ける。その後、外
部電極４６ｂと駆動回路６２ｂとを接続する。
【００８８】
なお、板５０ｂをステージ６１ｂに設置する際に、板５０ｂと、板５０ａの凸部曲面と
接している第１の部分４４ａとが接触しないように、調整手段６３ａによってステージ６
１ａをＹ軸方向に移動させてもよい。または、調整手段６３ｂによってステージ６１ｂを
Ｙ軸方向に移動させてもよい。
【００８９】
そして、Ｚ軸方向から表示部１１Ａを見た時に表示部４１ａと表示部４１ｂとの継ぎ目
が目立たなくなるように、調整手段６３ａによって表示部４１ａの位置または角度を調整
する。または／および、調整手段６３ｂによって表示部４１ｂの位置または角度を調整す
る。
【００９０】
表示部４１ａと表示部４１ｂの相対的な位置合わせとして、例えば表示部１１Ａを１つ
の表示領域として画像を表示させ、調整手段６３ａおよび／または調整手段６３ｂによっ
て、表示部４１ａと表示部４１ｂとの境界付近における画像の継ぎ目を目立たなくする方
法がある。この際に表示部１１Ａに表示させる画像として、例えば継ぎ目をまたぐように
ストライプ状の目盛りを有する画像を用いることで、表示部４１ａと表示部４１ｂの相対
的な位置合わせを容易に行うことができる。
【００９１】
最後に、透明部４２ｂと表示部４１ａとを、隙間に空気が入り込まないように、着脱可
能に固定する（図１（Ａ）、（Ｂ）参照）。着脱可能に固定する方法として、例えば吸着
フィルムを用いることができる。
【００９２】
以上の手順により、表示パネル４０ａ、４０ｂを表示装置１０に設置することができる
。
【００９３】
［変形例１］
本実施の形態では、これまでに２つの表示パネルがＹ軸方向に隣接する表示装置２０Ａ
の構成を示した。変形例１では、２つの表示パネルがＸ軸方向に隣接する表示装置２０Ｂ
の構成を示す。
【００９４】
以下より表示装置２０Ｂが、図１（Ａ）および図１（Ｂ）に示す表示装置２０Ａと異な
る点についてのみ説明する。
【００９５】
図４（Ａ）に、２枚の表示パネル８０ａ、８０ｂをＸ軸方向に並べた表示装置２０Ｂの
正面図を示し、図４（Ｂ）に図４（Ａ）の一点鎖線Ｙ５−Ｙ６に対応する表示装置２０Ｂ
の断面図を示す。なお、図４（Ａ）および図４（Ｂ）において、２つの表示パネルのうち
後方に位置するパネルを表示パネル８０ａ、前方に位置するパネルを表示パネル８０ｂと
する。
【００９６】
表示装置２０Ｂにおいて、表示パネル８０はその一部を湾曲させて板９０に取り付けら
れている（図４（Ｂ）参照）。表示パネル８０が単体で平面に置かれた状態の上面図を図
４（Ｃ）に示す。
【００９７】
また、板９０および表示パネル８０を取り除いた状態の表示装置２０Ｂを図５（Ａ）お
よび図５（Ｂ）に示す。図５（Ａ）に、表示装置２０Ｂの正面図を示し、図５（Ｂ）に図
５（Ａ）の一点鎖線Ｙ７−Ｙ８に対応する表示装置２０Ｂの断面図を示す。図５（Ａ）に
は、図４（Ａ）において図示されていない表示装置２０Ｂの要素および符号が含まれてい
る。
【００９８】
表示装置２０Ｂは、表示パネル８０ａの表示部４１ａと表示パネル８０ｂの表示部４１
ｂとを継ぎ目なく並べることで、表示部１１Ｂを１つの表示領域として画像や映像を表示
することができる。表示部１１Ｂは、図４（Ａ）において太い破線で囲んだ領域である。
【００９９】
フレーム２１Ｂは、図２（Ａ）に示すフレーム２１Ａに対して、表示パネル８０をＸ軸
方向に２つ並べられるように複数の柱および梁を備える点が異なる（図５（Ａ）参照）。
【０１００】
図４（Ｄ）に、ステージ９１に板９０を設置した状態のステージ９１および板９０の背
面図を示す。ステージ９１は、ステージ６１と比較して、板９０が設置される領域の下部
の幅（Ｘ軸方向の長さ）が、板９０が設置される領域の上部の幅よりも小さくなっている
。また、板９０は第１の面にガイド５３を備えており、２つのガイド５３の間隔と、上記
のステージ９１の下部の幅とが等しくＷ１となっている。このような構成とすることで、
板９０をステージ９１に取り付ける際にＸ軸方向の位置合わせを精度良く行うことができ
る。
【０１０１】
フレーム２１Ｂおよびステージ９１としては、フレーム２１Ａと同様の金属材料を用い
ることができる。また、フレーム２１Ｂとステージ９１とで、異なる材料を用いてもよい
。
【０１０２】
表示パネル８０は、表示部４１の右辺および下辺に隣接する位置に透明部８２を備える
（図４（Ｃ）参照）。図４（Ａ）に示すように表示装置２０Ｂにおいて、表示部４１ａと
透明部８２ｂとが重なっている。また、表示パネル８０ａの第１の部分４４ａと、表示パ
ネル８０ｂの第１の部分４４ｂとが重なっている。このような構成とすることで、Ｘ軸方
向およびＹ軸方向に表示部４１の継ぎ目なく複数の表示パネル８０を並べることができ、
大面積の表示が可能となる。なお、表示パネル８０をＹ軸方向に並べる方法については、
図１（Ａ）、（Ｂ）と、図１（Ａ）、（Ｂ）に対応する本明細書の記述を参照できる。
【０１０３】
表示パネル８０ｂは、透明部８２ｂと表示部４１ｂの一部が板９０ｂからＸ軸方向およ
びＹ軸方向に迫り出すように板９０ｂと固定されている（図４（Ａ）参照）。
【０１０４】
表示部４１ｂが板９０ｂから迫り出すＸ軸方向の長さは、例えば表示部４１ｂの右辺と
表示部４１ａの左辺がＺ軸方向において重なるように決定することができる。
【０１０５】
以下に、表示パネル８０ａ、８０ｂを表示装置２０Ｂに設置する手順について、図４（
Ａ）乃至（Ｄ）および図５（Ａ）、（Ｂ）を用いて説明する。
【０１０６】
調整手段６３ａ、６３ｂ、ステージ９１ａ、９１ｂはあらかじめフレーム２１Ｂに設置
されているとする。まず、駆動回路６２ａ、６２ｂをそれぞれステージ９１ａ、９１ｂ上
に設置する（図５（Ａ）、（Ｂ）参照）。
【０１０７】
次に、板９０ａに表示パネル８０ａを接着または着脱可能に固定する。具体的には、表
示パネル８０ａの表示裏面と板９０ａの第２の面とを吸着フィルムや粘着性を有するフィ
ルムを介して密着させる。このとき、第１の部分４４ａと板９０ａの凸部曲面とは固定さ
れていないことが好ましい。
【０１０８】
板９０ａを、ステージ９１ａに設置する。具体的には、切り欠き５１ａをステージ９１
ａの一部に嵌め込み、ステージ９１ａの下部が２つのガイド５３ａの間に挟まる位置に板
９０ａをＸ軸方向に移動させる。その後、板９０ａの第１の面とステージ９１ａの側面と
を接するように重ね、留め具５２ａを引き上げて板９０ａをステージ９１ａに固定する。
そして、外部電極４６ａと駆動回路６２ａとを接続する。
【０１０９】
次に、板９０ｂに表示パネル８０ｂを固定する。板９０ｂに表示パネル８０ｂを固定す
る方法は、板９０ａに表示パネル８０ａを固定する方法と同様である。なお、板９０ｂの
凸部曲面と第１の部分４４ｂとは固定しないでおく。
【０１１０】
板９０ｂを、ステージ９１ｂに設置する。板９０ｂをステージ９１ｂに設置する方法も
、板９０ａをステージ９１ａに設置する方法と同様であるが、板９０ｂから迫り出した表
示パネル８０ｂの一部が表示パネル８０ａの前面に位置するように取り付ける。
【０１１１】
なお、板９０ｂをステージ９１ｂに取りつける際に、板９０ｂと表示パネル８０ａとが
接触しないように、調整手段６３ａによってステージ９１ａをＸ軸方向に移動させてもよ
い。または、調整手段６３ｂによってステージ９１ｂをＸ軸方向に移動させてもよい。
【０１１２】
そして、Ｚ軸方向から表示部１１Ｂを見た時に表示部４１ａと表示部４１ｂとの継ぎ目
が目立たなくなるように、調整手段６３ａによって表示部４１ａの位置または角度を調整
する。あるいは、調整手段６３ｂによって表示部４１ｂの位置または角度を調整する。
【０１１３】
次に、透明部８２ｂと表示部４１ａとを、隙間に空気が入り込まないように着脱可能に
固定する（図４（Ａ）、（Ｂ）参照）。着脱可能に固定する方法として、例えば吸着フィ
ルムを用いることができる。
【０１１４】
最後に、第１の部分４４ｂを板９０ａの凸部曲面および第１の部分４４ａに沿わせるよ
うにして、外部電極４６ｂと駆動回路６２ｂとを接続する。
【０１１５】
なお、第１の部分４４ａと第１の部分４４ｂとが重なっているため、湾曲する部分の曲
率半径は第１の部分４４ａより第１の部分４４ｂの方が大きい。そのため、表示パネル８
０と駆動回路６２を接続するために要する外部電極４６の長さが、外部電極４６ａよりも
外部電極４６ｂの方が長い（図４（Ａ）参照）。よって、表示パネル８０ｂと駆動回路６
２ｂとを接続する際に、外部電極４６ｂや端子４５ｂに過剰な張力がかかることがある。
そこで外部電極４６ｂまたは第１の部分４４ｂの、表示パネル８０ｂの長手方向の長さを
調節することが好ましい。また、駆動回路６２ｂと外部電極４６ｂとの接続位置を調節し
てもよい。
【０１１６】
［表示部の構成例］
続いて、本発明の一態様の表示装置に含まれる表示パネルの表示部の構成例について説
明する。図６（Ａ）に、透明部３２が表示部４１の２辺に隣接する位置にある表示パネル
３０の上面図を示す。図６（Ｂ）は図６（Ａ）における領域Ｐを拡大した上面図であり、
図６（Ｃ）は領域Ｑを拡大した上面図である。
【０１１７】
図６（Ｃ）に示すように、表示部４１には複数の画素３１がマトリクス状に配置されて
いる。赤、青、緑の３色を用いてフルカラー表示が可能な表示パネル３０とする場合では
、画素３１は上記３色のうちいずれかを表示することのできる画素とする。または上記３
色に加えて白や黄色を表示することのできる画素を設けてもよい。画素３１を含む領域が
表示部４１に相当する。
【０１１８】
一つの画素３１には配線３４ｃおよび配線３４ｄが電気的に接続されている。複数の配
線３４ｃのそれぞれは配線３４ｄと交差し、動作回路３３ｃと電気的に接続されている。
また複数の配線３４ｄは動作回路３３ｄと電気的に接続されている。動作回路３３ｃおよ
び動作回路３３ｄのうち一方が走査線駆動回路として機能する回路であり、他方が信号線
駆動回路として機能する回路とすることができる。なお、動作回路３３ｃおよび動作回路
３３ｄのいずれか一方、または両方を設けない構成としてもよい。
【０１１９】
図６（Ｂ）では、動作回路３３ｃまたは動作回路３３ｄに電気的に接続する複数の配線
３５が設けられている。配線３５は、図示しない領域で外部電極４６と電気的に接続され
、外部からの信号を動作回路３３ｃおよび動作回路３３ｄに供給する機能を有する。
【０１２０】
図６（Ｂ）において、動作回路３３ｃ、動作回路３３ｄ、複数の配線３５を含む領域が
、図６（Ａ）における動作回路部４３に相当する。
【０１２１】
図６（Ｃ）において、最も端に設けられる画素３１よりも外側の領域が透明部３２に相
当する。透明部３２は、画素３１、配線３４ｃおよび配線３４ｄ等の可視光を遮る部材を
有していない。なお、画素３１の一部、配線３４ｃまたは配線３４ｄが可視光に対して透
光性を有する場合には、透明部３２にまで延在して設けられていてもよい。
【０１２２】
ここで、透明部３２の幅Ｗ２は、表示パネル３０に設けられる透明部３２のうち、最も
狭い幅を指す場合もある。表示パネル３０の幅Ｗ２が場所によって異なる場合には、最も
短い長さを幅Ｗ２とすることができる。なお、図６（Ｃ）では画素３１から基板の端面ま
での距離（すなわち透明部３２の幅Ｗ２）が、図面縦方向と横方向とで同一である場合を
示している。
【０１２３】
図６（Ｄ）は図６（Ｃ）中の一点鎖線Ｘ１−Ｘ２における断面図である。図６（Ｄ）に
示す表示パネル３０は、それぞれ可視光に対して透光性を有する一対の基板（基板３６、
基板３７）を有する。また基板３６と基板３７は接着層３８によって接着されている。画
素３１や配線３４ｄ等は、基板３６に形成されている。
【０１２４】
図６（Ｃ）、（Ｄ）に示すように、画素３１が表示部４１の最も端に位置する場合には
、透明部４２の幅Ｗ２は、基板３６または基板３７の端部から画素３１の端部までの長さ
となる。
【０１２５】
なお、画素３１の端部とは、画素３１に含まれる可視光を遮る部材のうち、最も端に位
置する部材の端部を指す。または、画素３１として一対の電極間に発光性の有機化合物を
含む層を備える発光素子（有機ＥＬ素子ともいう）を用いた場合には、画素３１の端部は
下部電極の端部、発光性の有機化合物を含む層の端部、上部電極の端部のいずれかであっ
てもよい。
【０１２６】
図７（Ａ）には、図６（Ｃ）に対して、配線３４ｃの位置が異なる場合について示して
いる。また図７（Ｂ）は図７（Ａ）中の一点鎖線Ｙ９−Ｙ１０における断面図であり、図
７（Ｃ）は図７（Ａ）中の一点鎖線Ｘ３−Ｘ４における断面図である。
【０１２７】
図７（Ａ）、（Ｂ）、（Ｃ）に示すように、表示部４１の最も端に配線３４ｃが位置す
る場合には、透明部３２の幅Ｗ２は、基板３６または基板３７の端部から配線３４ｃの端
部までの長さとなる。なお、配線３４ｃが可視光に対して透光性を有する場合には、配線
３４ｃが設けられる領域は透明部３２に含まれていてもよい。
【０１２８】
ここで、表示パネル３０の表示部４１に設けられる画素の密度が高い場合、２つの表示
パネル３０を貼り合せた際に、位置ずれが生じてしまう場合がある。
【０１２９】
図８（Ａ）は、後方に設けられる表示パネル３０ａの表示部４１ａと、前方に設けられ
る表示パネル３０ｂの表示部４１ｂとの、表示面側から見たときの位置関係を示す図であ
る。図８（Ａ）には表示部４１ａおよび表示部４１ｂのそれぞれの角部近傍を示している
。表示部４１ａの一部が、透明部３２ｂによって覆われている。
【０１３０】
図８（Ａ）に示す例では、隣接する画素３１ａと画素３１ｂとが相対的に一方向（Ｘ軸
方向）にずれた場合を示している。図中に示す矢印は、表示パネル３０ａが表示パネル３
０ｂに対してずれた方向を示している。また、図８（Ｂ）に示す例では、隣接する画素３
１ａと画素３１ｂとが相対的に縦方向および横方向（Ｘ軸方向およびＹ軸方向）の両方に
ずれた場合を示している。
【０１３１】
図８（Ａ）および図８（Ｂ）に示す例では、横方向にずれた距離と縦方向にずれた距離
がそれぞれ１画素分よりも小さい。このような場合は、表示部４１ａまたは表示部４１ｂ
のいずれか一方に表示する画像の画像データに対し、当該ずれの距離に応じた補正を掛け
ることで表示品位を保つことが可能となる。具体的には、画素間の距離が小さくなるずれ
の場合には画素の階調（輝度）を低くするように補正し、画素間の距離が大きくなるずれ
の場合には、画素の階調（輝度）を高めるように補正すればよい。また、１画素以上重な
るようなずれの場合には、後方に位置する画素を駆動しないように画像データを一列分シ
フトさせるように補正すればよい。
【０１３２】
図８（Ｃ）では、本来隣接するはずであった画素３１ａと画素３１ｂとが、相対的に一
方向（Ｘ軸方向）に１画素分以上の距離でずれた例を示している。このように、１画素分
の距離以上のずれが生じた場合には、突出した画素（ハッチングを付加した画素）を表示
しないように駆動すればよい。なお、ずれの方向がＹ軸方向の場合においても同様である
。
【０１３３】
なお、複数の表示パネル３０を重ね合わせる際には、位置ずれを抑制するように各々の
表示パネル３０に位置合わせのためのマーカー等を設けることが好ましい。または、表示
パネル３０の表面に凸部および凹部を形成し、２つの表示パネル３０が重なる領域で当該
凸部と凹部とを嵌合させる構成としてもよい。
【０１３４】
また、位置合わせの精度を考慮して、表示パネル３０の表示部４１にはあらかじめ使用
する画素よりも多くの画素を配置しておくことが好ましい。例えば走査線に沿った画素列
、または信号線に沿った画素列のうち、少なくとも一方を、１列以上、好ましくは３列以
上、より好ましくは５列以上、表示に用いる画素列よりも余分に設けておくことが好まし
い。
【０１３５】
本実施の形態は、他の実施の形態と適宜組み合わせることができる。
【０１３６】
（実施の形態２）
本実施の形態では、本発明の一態様の表示装置に適用可能な表示パネルの構成例につい
て、図面を用いて説明する。
【０１３７】
本実施の形態では、主に有機ＥＬ素子を用いた表示パネルを例示するが、本発明の一態
様の表示装置に用いることができる表示パネルはこれに限られない。本実施の形態で後に
例示する、他の発光素子や表示素子を用いた発光パネル又は表示パネルも、本発明の一態
様の表示装置に用いることができる。
【０１３８】
［構成例１］
図９（Ａ）に表示パネルの平面図を示し、図９（Ａ）における一点鎖線Ａ１−Ａ２間の
断面図の一例を図９（Ｃ）に示す。図９（Ｃ）には透明部８１０の断面図の一例も示す。
【０１３９】
構成例１で示す表示パネルは、カラーフィルタ方式を用いたトップエミッション型の表
示パネルである。本実施の形態において、表示パネルは、例えば、Ｒ（赤）、Ｇ（緑）、
Ｂ（青）の３色の副画素で１つの色を表現する構成や、Ｒ、Ｇ、Ｂ、Ｗ（白）の４色の副
画素で１つの色を表現する構成、Ｒ、Ｇ、Ｂ、Ｙ（黄）の４色の副画素で１つの色を表現
する構成等が適用できる。色要素としては特に限定はなく、ＲＧＢＷＹ以外の色を用いて
もよく、例えば、シアンやマゼンタ等を用いてもよい。
【０１４０】
図９（Ａ）に示す表示パネルは、透明部８１０、表示部８０４、動作回路部８０６、Ｆ
ＰＣ８０８を有する。透明部８１０は、表示部８０４に隣接し、表示部８０４の２辺に沿
って配置されている。動作回路部８０６には、例えば走査線駆動回路や信号線駆動回路が
含まれる。
【０１４１】
図９（Ｃ）に示す表示パネルは、基板７０１、接着層７０３、絶縁層７０５、複数のト
ランジスタ、導電層８５７、絶縁層８１５、絶縁層８１６、絶縁層８１７、複数の発光素
子、絶縁層８２１、接着層８２２、着色層８４５、遮光層８４７、絶縁層７１５、接着層
７１３及び基板７１１を有する。接着層８２２、絶縁層７１５、接着層７１３及び基板７
１１は可視光を透過する。表示部８０４及び動作回路部８０６に含まれる発光素子やトラ
ンジスタは絶縁層７０５、絶縁層７１５、及び接着層８２２によって封止されている。
【０１４２】
表示部８０４は、接着層７０３、及び絶縁層７０５を介して基板７０１上にトランジス
タ８２０及び発光素子８３０を有する。発光素子８３０は、絶縁層８１７上の下部電極８
３１と、下部電極８３１上のＥＬ層８３３と、ＥＬ層８３３上の上部電極８３５と、を有
する。すなわち、発光素子８３０は、下部電極８３１と、上部電極８３５と、下部電極８
３１と上部電極８３５に挟持されたＥＬ層８３３を備える。
【０１４３】
下部電極８３１は、トランジスタ８２０のソース電極又はドレイン電極と電気的に接続
する。下部電極８３１の端部は、絶縁層８２１で覆われている。下部電極８３１は可視光
を反射することが好ましい。上部電極８３５は可視光を透過する。
【０１４４】
また、表示部８０４は、発光素子８３０と重なる着色層８４５と、絶縁層８２１と重な
る遮光層８４７と、を有する。発光素子８３０と着色層８４５の間は接着層８２２で充填
されている。
【０１４５】
絶縁層８１５および絶縁層８１６は、トランジスタを構成する半導体への不純物の拡散
を抑制する効果を奏する。また、絶縁層８１７は、トランジスタ起因の表面凹凸を低減す
るために平坦化機能を有する絶縁層を選択することが好適である。
【０１４６】
なお、表示パネルにおいてトランジスタのない領域には絶縁層８１５または／および絶
縁層８１６を形成しなくてもよい。特に、透明部８１０では、絶縁層８１５または／およ
び絶縁層８１６を形成しないことで透過率が向上するため好ましい。図９では、透明部８
１０において絶縁層８１５を形成しない構成を示している。例えば、絶縁層８１５として
窒化シリコンを、絶縁層８１６として酸化窒化シリコンを用いることができる。
【０１４７】
動作回路部８０６は、接着層７０３及び絶縁層７０５を介して基板７０１上にトランジ
スタを複数有する。図９（Ｃ）では、動作回路部８０６が有するトランジスタのうち、１
つのトランジスタを示している。
【０１４８】
絶縁層７０５や絶縁層７１５に防湿性の高い膜を用いることで、発光素子８３０やトラ
ンジスタ８２０に水等の不純物が侵入することを抑制でき、表示パネルの信頼性を高くす
ることができる。また、表示パネルが基板を有することで、物理的な衝撃から表示パネル
の表面を保護することができるため好ましい。基板７０１は接着層７０３によって絶縁層
７０５と貼り合わされている。また、基板７１１は接着層７１３によって絶縁層７１５と
貼り合わされている。
【０１４９】
導電層８５７は、動作回路部８０６に外部からの信号（ビデオ信号、クロック信号、ス
タート信号、又はリセット信号等）や電位を伝達する外部電極と電気的に接続する。ここ
では、外部電極としてＦＰＣ８０８を設ける例を示している。工程数の増加を防ぐため、
導電層８５７は、表示部や駆動回路部に用いる電極や配線と同一の材料、同一の工程で作
製することが好ましい。ここでは、導電層８５７を、トランジスタ８２０を構成する電極
と同一の材料、同一の工程で作製した例を示す。
【０１５０】
図９（Ｃ）に示す表示パネルでは、ＦＰＣ８０８が絶縁層７１５上に位置する。接続体
８２５は、絶縁層７１５、接着層８２２、絶縁層８１７、絶縁層８１６及び絶縁層８１５
に設けられた開口を介して導電層８５７と接続している。また、接続体８２５はＦＰＣ８
０８に接続している。接続体８２５を介してＦＰＣ８０８と導電層８５７は電気的に接続
する。
【０１５１】
図９（Ｃ）に示す表示パネルを２枚、接着層７２３を介して貼り合わせた状態の断面図
の一例を図１０に示す。なお、接着層７２３のかわりに吸着層を用いて、２枚の表示パネ
ルを着脱可能に固定させてもよい。
【０１５２】
図１０では、下側（後方）の表示パネルの表示部４１ａ（図９（Ａ）に示す表示部８０
４と対応）及び動作回路部４３ａ（図９（Ａ）に示す動作回路部８０６等に対応）、並び
に、上側（前方）の表示パネルの表示部４１ｂ（図９（Ａ）に示す表示部８０４と対応）
及び透明部４２ｂ（図９（Ａ）に示す透明部８１０に対応）を示している。なお、図１０
に示す断面図は、実施の形態１で説明した２枚の表示パネル４０ａ、４０ｂの重なり部分
（図１（Ｂ）参照）の一例でもある。
【０１５３】
図１０において、表示面側である上側に位置する表示パネルは、透明部８１０を表示部
８０４と隣接して有する。また、下側の表示パネルの表示部８０４と、上側の表示パネル
の透明部８１０とが重なっている。したがって、重ねた２つの表示パネルの表示領域の間
の非表示領域を縮小すること、さらには無くすことができる。これにより、使用者から表
示部の継ぎ目が認識されにくい、大型の表示装置を実現することができる。
【０１５４】
また、図１０において、下側の表示パネルの表示部８０４と上側の表示パネルの透明部
８１０の間に、可視光を透過する接着層７２３が位置する。接着層７２３は、上側の表示
パネルの基板７０１および／または下側の表示パネルの基板７１１との屈折率の差が小さ
いことが好ましい。このような構成とすることで、下側の表示パネルの表示部８０４の上
側に位置する積層体の屈折率の差による界面での反射を低減することができる。そして、
大型の表示装置における表示ムラや輝度ムラの抑制が可能となる。
【０１５５】
［構成例２］
図９（Ａ）に表示パネルの平面図を示し、図９（Ａ）における一点鎖線Ａ１−Ａ２間の
断面図の一例を図１１（Ａ）に示す。構成例２で示す表示パネルは、構成例１とは異なる
、カラーフィルタ方式を用いたトップエミッション型の表示パネルである。ここでは、構
成例１と異なる点のみ詳述し、構成例１と共通する点は説明を省略する。
【０１５６】
本発明の一態様の表示装置に適用可能な表示パネルは、表示部に複数の画素および複数
の補助電極を備え、画素は発光素子とトランジスタを備え、発光素子は下部電極と上部電
極と下部電極および上部電極に挟持されたＥＬ層を備え、補助電極は隣接する複数の下部
電極間において上部電極と接触する表示パネルである。
【０１５７】
図１１（Ａ）に示す表示パネルは、Ｒ、Ｇ、Ｂ、Ｙの４色の副画素で１つの色を表現す
る構成である。Ｒ、Ｇ、Ｂ、Ｙの副画素の配列の一例を図１１（Ｃ）に示す。図１１（Ａ
）における表示部８０４の断面図は、図１１（Ｃ）における一点鎖線Ｚ１−Ｚ２間に対応
する。
【０１５８】
図１１（Ａ）に示す表示パネルに示すように、発光素子８３０は、下部電極８３１とＥ
Ｌ層８３３の間に、光学調整層８３２を有する。光学調整層８３２には、透光性を有する
導電性材料を用いることが好ましい。着色層と、光学調整層を利用したマイクロキャビテ
ィ構造との組み合わせにより、本発明の一態様の表示装置から色純度の高い光を取り出す
ことができる。光学調整層の厚さは、各副画素の色に応じて変化させればよい。図１１（
Ａ）では、副画素Ｒの光学調整層８３２Ｒおよび副画素Ｂの光学調整層８３２Ｂを示して
いる。
【０１５９】
図１１（Ａ）に示す表示パネルは、絶縁層８２１上にスペーサ８２３を有する。スペー
サ８２３を設けることで、基板７０１と基板７１１の間隔を調整することができる。
【０１６０】
また、図１１（Ａ）に示す表示パネルは、着色層８４５及び遮光層８４７を覆うオーバ
ーコート８４９を有する。発光素子８３０とオーバーコート８４９の間は接着層８２２で
充填されている。
【０１６１】
本発明の一態様の表示装置に適用可能な表示パネルは、透明部が、表示部に隣接し表示
部の辺に沿って配置されている。そのため、特に大型の表示パネルの場合、表示部が備え
る画素間で共通の上部電極（本実施の形態においては上部電極８３５）と電源電圧が供給
される表示部周辺の配線とを接続するコンタクト領域を、該透明部と重ならない領域に配
置する必要がある。該上部電極を構成する導電層の電気抵抗が高い場合に、表示部におい
て該コンタクト領域から離れた画素の発光輝度が、該上部電極の電圧降下により低下して
しまう懸念がある。
【０１６２】
図１１（Ａ）に示す表示パネルは、画素間に上部電極８３５の電圧降下を抑制するため
の補助電極８６０を有している。補助電極８６０としては、上部電極８３５よりも電気抵
抗が低い導電性材料を用いることが好ましい。
【０１６３】
また、補助電極８６０を構成する導電層を、下部電極８３１などと同時に形成すると、
工程を短縮することができるため好ましい。図１１（Ａ）では、下部電極８３１と同じ導
電性材料、および光学調整層８３２と同じ導電性材料によって補助電極８６０を構成して
いる。
【０１６４】
ここで、補助電極８６０を形成する方法について説明する。図１１（Ｂ）および（Ｃ）
に、表示部８０４を構成するＲ、Ｇ、Ｂ、Ｙの各副画素の上面図の一例を示す。図１１（
Ｂ）は下部電極８３１を形成した時点、図１１（Ｃ）は図１１（Ｂ）の後に光学調整層８
３２、絶縁層８２１およびスペーサ８２３を形成した時点の上面図である。なお、トラン
ジスタ８２０等の下部電極８３１を形成する以前に形成した要素については図１１（Ｂ）
（Ｃ）では省略する。
【０１６５】
補助電極８６０は、各副画素間の隙間を埋めるように配置することができる。例えば、
各副画素が備える下部電極８３１を囲むように網の目状に配置してもよく、下部電極８３
１が隣接する一方向の隙間に複数のライン状（ストライプ状、ともいう）に配置してもよ
い。
【０１６６】
一つのラインを構成する補助電極８６０は分断されずに繋がっていると、上部電極８３
５の電気抵抗をより下げることができるため好ましい。図１１（Ｂ）には、導電層８６０
ａをライン状に配置した例を示す。なお、ここでは導電層８６０ａを下部電極８３１と同
一の導電層を用いて形成している。
【０１６７】
補助電極８６０は、上部電極８３５と接触させることで電気的に接続される。そのため
、ＥＬ層８３３を塗り分け方式によって形成する場合は、補助電極８６０上にはＥＬ層８
３３を形成せず、上部電極８３５を補助電極８６０上に形成することで、補助電極８６０
と上部電極８３５とを接触させることができる。
【０１６８】
本実施の形態では、ＥＬ層８３３を塗り分けマスクを用いずに形成するため、補助電極
８６０上にもＥＬ層８３３を形成する。そのため、補助電極８６０の表面の一部にＥＬ層
８３３が被覆されない領域を形成し、かつ該領域が上部電極８３５によって被覆されるよ
うに上部電極８３５を形成する方法が求められる。
【０１６９】
図１１（Ｄ１）に、補助電極８６０の拡大図を示す。補助電極８６０は導電層８６０ａ
および導電層８６０ｂの積層構造となっている。また、導電層８６０ｂの底面の面積が導
電層８６０ａの上面の面積よりも大きく、導電層８６０ｂの一部が導電層８６０ａから迫
り出した構造となっている。
【０１７０】
このような構成とすることで、ＥＬ層８３３を形成する際に導電層８６０ｂが庇となり
、導電層８６０ａの側面の一部にＥＬ層８３３が形成されず、その表面を露出させること
ができる。また、上部電極８３５をＥＬ層８３３の形成方法よりも異方性の低い成膜方法
で形成することで、導電層８６０ａの側面に上部電極８３５を形成し、導電層８６０ａと
上部電極８３５を接触させることができる。
【０１７１】
なお、表示パネルの作製工程において、導電層８６０ａまたは導電層８６０ｂのエッチ
ングの際に、導電層８６０ａの下層の膜もエッチングされることがある。該膜の、導電層
８６０ａの下面の端部と接する領域がエッチングされることで、ＥＬ層８３３を成膜する
際に導電層８６０ａの側面にＥＬ層８３３を形成されにくくすることができる。
【０１７２】
図１１（Ｄ２）に、導電層８６０ａの下面の端部と接する絶縁層８１７ｂの一部がエッ
チングされた場合の補助電極８６０の断面図を示す。このようにすることで、図１１（Ｄ
１）と比べて、上部電極８３５の電圧降下を抑制する効果を高めることができる。
【０１７３】
図１１（Ｃ）において、破線で囲まれたハッチングのない部分は絶縁層８２１で覆われ
ている。言い換えると、スペーサ８２３を除いて実線で囲まれた領域（光学調整層８３２
の一部および導電層８６０ｂの一部）は、絶縁層８２１に形成された開口部と一致する。
ここでは、導電層８６０ｂとして光学調整層８３２と同一の導電層を用いている。
【０１７４】
図１１（Ｃ）では、複数の下部電極８３１間に配置された補助電極８６０の一部が露出
するように絶縁層８２１に開口部を設けている。該開口部の大きさは、上部電極８３５の
電気抵抗や、表示部８０４の面積に応じて適宜調整することができる。また、補助電極８
６０の幅、すなわち補助電極８６０を挟んで画素が隣接する方向の長さも同様の理由で適
宜調整することができる。
【０１７５】
ここで、表示パネルに設けられた補助電極８６０が機能していること、すなわち図１１
（Ｄ１）または（Ｄ２）で示すように補助電極８６０がその側面において上部電極８３５
と接触していることを確認する方法について以下に説明する。
【０１７６】
表示部８０４において一方向にストライプ状に延在する補助電極８６０と電気的に接続
する配線（以下、測定用配線とする）を、ＦＰＣ８０８の有する端子の一つ（以下、端子
Ａとする）と接続する。また、上部電極８３５と電気的に接続しているＦＰＣ８０８の有
する端子の一つを端子Ｂとする。
【０１７７】
端子Ａと端子Ｂとの間の電気抵抗値が１００Ω以上１０ｋΩ以下であれば、補助電極８
６０が表示部８０４において上部電極８３５と接触しているとみなすことができる。なお
、この電気抵抗値の下限は、補助電極８６０の材料、上部電極８３５の材料および測定用
配線の材料や長さに応じて変化することがある。
【０１７８】
ところで、発光素子８３０に流れる電流が異なる画素間でばらつくことを抑制するため
に、画素ごとに補正回路を設けてもよい。具体的には、下部電極８３１と導電層８５６を
介してソース電極またはドレイン電極と接続しているトランジスタ８２０に流れる電流が
同色の異なる副画素間でばらつくことを抑制するために、副画素ごとに複数のトランジス
タまたは／および複数の容量素子を設けてもよい。この電流のばらつきは、トランジスタ
８２０が有する半導体層の膜厚のばらつきに起因することがある。例えば、図１１（Ａ）
に示すトランジスタ８７０、容量素子８７１は、トランジスタ８２０に流れる電流のばら
つきを補正する機能を有していてもよい。
【０１７９】
図１２乃至図１６（Ｂ）に、上記の補正回路を適用した画素回路の一例を示す。
【０１８０】
図１２に示す画素回路は、６つのトランジスタ（トランジスタＭ１乃至Ｍ６）と、３つ
の容量素子（容量素子Ｃ１乃至Ｃ３）と、発光素子８３０とを有する。また、図１２に示
す画素回路には、配線Ｓ１および配線Ｓ２、ならびに配線Ｇ１乃至Ｇ６が電気的に接続さ
れている。なお、トランジスタＭ１乃至Ｍ６については、例えばＮ型の極性のトランジス
タを用いることができる。
【０１８１】
例えば、図１２に示す配線Ｇ１乃至Ｇ４は、動作回路部８０６のうち走査線駆動回路と
電気的に接続されている。また例えば、図１２に示す配線Ｓ１は、動作回路部８０６のう
ち信号線駆動回路と電気的に接続されている。また例えば図１２に示す配線Ｇ５、配線Ｇ
６および配線Ｓ２は、定電圧源と電気的に接続されている。
【０１８２】
例えば、図１１（Ａ）におけるトランジスタ８２０は、トランジスタＭ６として機能す
ることができる。また例えば、図１１（Ａ）におけるトランジスタ８７０は、トランジス
タＭ１乃至Ｍ５のいずれか一として機能することができる。また、例えば図１１（Ａ）に
おける容量素子８７１は、容量素子Ｃ１乃至Ｃ３のいずれか一として機能することができ
る。
【０１８３】
図１３（Ａ）に示す画素回路は、６つのトランジスタ（Ｍ７乃至Ｍ１２）と、容量素子
Ｃ４と、発光素子８３０と、を有する。また、図１３（Ａ）に示す画素回路には、配線Ｓ
３および配線Ｓ４ならびに配線Ｇ７乃至Ｇ１１が電気的に接続されている。トランジスタ
Ｍ７乃至Ｍ１２については、例えばＮ型の極性のトランジスタを用いることができる。ま
た、図１３（Ｂ）に示すように、トランジスタＭ７乃至Ｍ１２に代えてＰ型の極性のトラ
ンジスタ（トランジスタＭ１３乃至Ｍ１８）を用いてもよい。
【０１８４】
図１４（Ａ）に示す画素回路は、図１３（Ａ）に示す画素回路に、トランジスタＭ１９
を追加した構成である。また、図１４（Ａ）に示す画素回路には、配線Ｇ１２およびＧ１
３が電気的に接続されている。ここで、配線Ｇ１１と配線Ｇ１２とは、それぞれ電気的に
接続されていてもよい。なお、トランジスタＭ１９については、たとえばＮ型の極性のト
ランジスタを用いることができる。
【０１８５】
図１４（Ｂ）に示す画素回路は、図１３（Ｂ）に示す画素回路に、トランジスタＭ２０
を追加した構成である。また、図１４（Ｂ）に示す画素回路には、配線Ｇ１２およびＧ１
３が電気的に接続されている。ここで、配線Ｇ１１と配線Ｇ１２とは、それぞれ電気的に
接続されていてもよい。なお、トランジスタＭ２０については、たとえばＰ型の極性のト
ランジスタを用いることができる。
【０１８６】
図１５（Ａ）に示す画素回路は、６つのトランジスタ（Ｍ２１乃至Ｍ２６）と、容量素
子Ｃ４と、発光素子８３０と、を有する。また、図１５（Ａ）に示す画素回路には、配線
Ｓ５乃至Ｓ７ならびに配線Ｇ１４乃至Ｇ１６が電気的に接続されている。ここで、配線Ｇ
１４と配線Ｇ１６とは、それぞれ電気的に接続されていてもよい。トランジスタＭ２１乃
至Ｍ２６については、例えばＮ型の極性のトランジスタを用いることができる。また、図
１５（Ｂ）に示すように、トランジスタＭ２１乃至Ｍ２６に代えてＰ型の極性のトランジ
スタ（トランジスタＭ２７乃至Ｍ３２）を用いもよい。
【０１８７】
図１６（Ａ）に示す画素回路は、２つのトランジスタ（トランジスタＭ３３およびトラ
ンジスタＭ３４）と、２つの容量素子（容量素子Ｃ５および容量素子Ｃ６）と、発光素子
８３０と、を有する。また、図１６（Ａ）に示す画素回路には、配線Ｓ８および配線Ｓ９
ならびに配線Ｇ１７乃至Ｇ１９が電気的に接続されている。また、図１６（Ａ）に示す画
素回路の構成とすることで、例えば、電圧入力―電流駆動方式（ＣＶＣＣ方式ともいう）
とすることができる。トランジスタＭ３３およびＭ３４については、例えばＮ型の極性の
トランジスタを用いることができる。また、図１６（Ｂ）に示すように、トランジスタＭ
３３およびトランジスタＭ３４に代えてＰ型の極性のトランジスタ（トランジスタＭ３５
およびトランジスタＭ３６）を用いてもよい。
【０１８８】
［構成例３］
図９（Ｂ）に表示パネルの平面図を示し、図９（Ｂ）における一点鎖線Ａ３−Ａ４間の
断面図の一例を図１７（Ａ）に示す。構成例３で示す表示パネルは、塗り分け方式を用い
たトップエミッション型の表示パネルである。
【０１８９】
図１７（Ａ）に示す表示パネルは、基板７０１、接着層７０３、絶縁層７０５、複数の
トランジスタ、導電層８５７、絶縁層８１５、絶縁層８１７、複数の発光素子、絶縁層８
２１、スペーサ８２３、接着層８２２、絶縁層７１５、及び基板７１１を有する。接着層
８２２、絶縁層７１５、及び基板７１１は可視光を透過する。
【０１９０】
図１７（Ａ）に示す表示パネルでは、接続体８２５が絶縁層８１５上に位置する。接続
体８２５は、絶縁層８１５に設けられた開口を介して導電層８５７と接続している。また
、接続体８２５はＦＰＣ８０８に接続している。接続体８２５を介してＦＰＣ８０８と導
電層８５７は電気的に接続する。
【０１９１】
［構成例４］
図９（Ｂ）に表示パネルの平面図を示し、図９（Ｂ）における一点鎖線Ａ３−Ａ４間の
断面図の一例を図１７（Ｂ）に示す。構成例４で示す表示パネルは、カラーフィルタ方式
を用いたボトムエミッション型の表示パネルである。
【０１９２】
図１７（Ｂ）に示す表示パネルは、基板７０１、接着層７０３、絶縁層７０５、複数の
トランジスタ、導電層８５７、絶縁層８１５、着色層８４５、絶縁層８１７ａ、絶縁層８
１７ｂ、導電層８５６、複数の発光素子、絶縁層８２１、接着層８２２、及び基板７１１
を有する。基板７０１、接着層７０３、絶縁層７０５、絶縁層８１５、絶縁層８１７ａ、
及び絶縁層８１７ｂは可視光を透過する。
【０１９３】
表示部８０４は、絶縁層７０５上にトランジスタ８２０、トランジスタ８２４、及び発
光素子８３０を有する。発光素子８３０は、絶縁層８１７ｂ上の下部電極８３１と、下部
電極８３１上のＥＬ層８３３と、ＥＬ層８３３上の上部電極８３５と、を有する。下部電
極８３１は、トランジスタ８２０のソース電極又はドレイン電極と電気的に接続する。下
部電極８３１の端部は、絶縁層８２１で覆われている。上部電極８３５は可視光を反射す
ることが好ましい。下部電極８３１は可視光を透過する。発光素子８３０と重なる着色層
８４５を設ける位置は、特に限定されず、例えば、絶縁層８１７ａと絶縁層８１７ｂの間
や、絶縁層８１５と絶縁層８１７ａの間等に設ければよい。
【０１９４】
動作回路部８０６は、接着層７０３及び絶縁層７０５を介して基板７０１上にトランジ
スタを複数有する。図１７（Ｂ）では、動作回路部８０６が有するトランジスタのうち、
２つのトランジスタを示している。
【０１９５】
絶縁層７０５に防湿性の高い膜を用いることで、発光素子８３０やトランジスタ８２０
、トランジスタ８２４に水等の不純物が侵入することを抑制でき、表示パネルの信頼性を
高くすることができる。
【０１９６】
導電層８５７は、動作回路部８０６に外部からの信号や電位を伝達する外部電極と電気
的に接続する。ここでは、外部電極としてＦＰＣ８０８を設ける例を示している。また、
ここでは、導電層８５７を、導電層８５６と同一の材料、同一の工程で作製した例を示す
。
【０１９７】
［材料および形成方法の一例］
次に、表示パネルまたは発光パネルに用いることができる材料等を説明する。なお、本
明細書中で先に説明した構成については説明を省略する場合がある。
【０１９８】
基板には、ガラス、石英、有機樹脂、金属、合金などの材料を用いることができる。発
光素子からの光を取り出す側の基板は、該光を透過する材料を用いる。
【０１９９】
特に、可撓性基板を用いることが好ましい。例えば、有機樹脂や可撓性を有する程度の
厚さのガラス、金属、合金を用いることができる。
【０２００】
ガラスに比べて有機樹脂は比重が小さいため、可撓性基板として有機樹脂を用いると、
ガラスを用いる場合に比べて表示パネルを軽量化でき、好ましい。
【０２０１】
基板には、靱性が高い材料を用いることが好ましい。これにより、耐衝撃性に優れ、破
損しにくい表示パネルを実現できる。例えば、有機樹脂基板や、厚さの薄い金属基板もし
くは合金基板を用いることで、ガラス基板を用いる場合に比べて、軽量であり、破損しに
くい表示パネルを実現できる。
【０２０２】
金属材料や合金材料は熱伝導性が高く、基板全体に熱を容易に伝導できるため、表示パ
ネルの局所的な温度上昇を抑制することができ、好ましい。金属材料や合金材料を用いた
基板の厚さは、１０μｍ以上２００μｍ以下が好ましく、２０μｍ以上５０μｍ以下であ
ることがより好ましい。
【０２０３】
金属基板や合金基板を構成する材料としては、特に限定はないが、例えば、アルミニウ
ム、銅、ニッケル、又は、アルミニウム合金もしくはステンレス等の金属の合金などを好
適に用いることができる。
【０２０４】
また、基板に、熱放射率が高い材料を用いると表示パネルの表面温度が高くなることを
抑制でき、表示パネルの破壊や信頼性の低下を抑制できる。例えば、基板を金属基板と熱
放射率の高い層（例えば、金属酸化物やセラミック材料を用いることができる）の積層構
造としてもよい。
【０２０５】
可撓性及び透光性を有する基板としては、フィルム状のプラスチック基板、例えば、ポ
リイミド（ＰＩ）、アラミド、ポリエチレンテレフタレート（ＰＥＴ）、ポリエーテルス
ルホン（ＰＥＳ）、ポリエチレンナフタレート（ＰＥＮ）、ポリカーボネート（ＰＣ）、
ナイロン、ポリエーテルエーテルケトン（ＰＥＥＫ）、ポリスルホン（ＰＳＦ）、ポリエ
ーテルイミド（ＰＥＩ）、ポリアリレート（ＰＡＲ）、ポリブチレンテレフタレート（Ｐ
ＢＴ）、シリコーン樹脂などのプラスチック基板を用いることができる。また、該基板は
、繊維などを含んでいてもよく、例えばプリプレグなどを含んでいてもよい。また、該基
板としては、樹脂フィルムに限定されず、パルプを連続シート加工した透明な不織布や、
フィブロインと呼ばれるたんぱく質を含む人工くも糸繊維を含むシートや、これらと樹脂
とを混合させた複合体、繊維幅が４ｎｍ以上１００ｎｍ以下のセルロース繊維からなる不
織布と樹脂膜の積層体、人工くも糸繊維を含むシートと樹脂膜の積層体を用いてもよい。
【０２０６】
可撓性基板としては、上記材料を用いた層が、装置の表面を傷などから保護するハード
コート層（例えば、窒化シリコン層など）や、押圧を分散可能な材質の層（例えば、アラ
ミド樹脂層など）等と積層されて構成されていてもよい。
【０２０７】
可撓性基板は、複数の層を積層して用いることもできる。特に、ガラス層を有する構成
とすると、水や酸素に対するバリア性を向上させ、信頼性の高い表示パネルとすることが
できる。
【０２０８】
例えば、発光素子に近い側からガラス層、接着層、及び有機樹脂層を積層した可撓性基
板を用いることができる。当該ガラス層の厚さとしては２０μｍ以上２００μｍ以下、好
ましくは２５μｍ以上１００μｍ以下とする。このような厚さのガラス層は、水や酸素に
対する高いバリア性と可撓性を同時に実現できる。また、有機樹脂層の厚さとしては、１
０μｍ以上２００μｍ以下、好ましくは２０μｍ以上５０μｍ以下とする。このような有
機樹脂層をガラス層よりも外側に設けることにより、ガラス層の割れやクラックを抑制し
、機械的強度を向上させることができる。このようなガラス材料と有機樹脂の複合材料を
基板に適用することにより、極めて信頼性が高いフレキシブルな表示パネルとすることが
できる。
【０２０９】
ここで、可撓性を有する表示パネルを形成する方法について説明する。
【０２１０】
ここでは便宜上、画素や駆動回路を含む構成、カラーフィルタ等の光学部材を含む構成
、タッチセンサ回路を含む構成、またはそのほかの機能性部材を含む構成を素子層と呼ぶ
こととする。素子層は例えば表示素子を含み、表示素子のほかに表示素子と電気的に接続
する配線、画素や回路に用いるトランジスタなどの素子を備えていてもよい。
【０２１１】
またここでは、素子層が形成される絶縁表面を備える支持体のことを、基材と呼ぶこと
とする。
【０２１２】
可撓性を有する基材上に素子層を形成する方法としては、基材上に直接素子層を形成す
る方法と、基材とは異なる剛性を有する支持基材上に素子層を形成した後、素子層と支持
基材とを剥離して素子層を基材に転置する方法と、がある。
【０２１３】
基材を構成する材料が、素子層の形成工程にかかる熱に対して耐熱性を有する場合には
、基材上に直接素子層を形成すると、工程が簡略化されるため好ましい。このとき、基材
を支持基材に固定した状態で素子層を形成すると、装置内、及び装置間における搬送が容
易となるため好ましい。
【０２１４】
また、素子層を支持基材上に形成した後に、基材に転置する方法を用いる場合、まず支
持基材上に剥離層と絶縁層を積層し、当該絶縁層上に素子層を形成する。続いて、支持基
材から素子層を剥離し、基材に転置する。このとき、支持基材と剥離層の界面、剥離層と
絶縁層の界面、または剥離層中で剥離が生じるような材料を選択すればよい。このような
方法により、素子層の形成工程において基材の耐熱温度よりも高い温度での処理を行うこ
とが可能となるため、表示パネルの信頼性を向上させることができる。
【０２１５】
例えば剥離層としてタングステンなどの高融点金属材料を含む層と、当該金属材料の酸
化物を含む層を積層して用い、剥離層上に絶縁層として、窒化シリコンや酸化窒化シリコ
ンを複数積層した層を用いることが好ましい。高融点金属材料を用いると、素子層の形成
時に高温の処理を行うことができ、信頼性を向上させることができる。例えば素子層に含
まれる不純物をより低減することや、素子層に含まれる半導体などの結晶性をより高める
ことができる。
【０２１６】
剥離は、機械的な力を加えて引き剥がすことや、剥離層をエッチングにより除去するこ
と、または剥離界面の一部に液体を滴下して剥離界面全体に浸透させることなどにより行
ってもよい。
【０２１７】
また、支持基材と絶縁層の界面で剥離が可能な場合には、剥離層を設けなくてもよい。
例えば、支持基材としてガラスを用い、絶縁層としてポリイミドなどの有機樹脂を用いて
、有機樹脂の一部をレーザ光等により局所的に加熱することにより剥離の起点を形成し、
ガラスと絶縁層の界面で剥離を行ってもよい。または、支持基材と有機樹脂を含む絶縁層
の間に、金属や半導体などの熱伝導性の高い材料の層を設け、これに電流を流して加熱す
ることにより剥離しやすい状態とし、剥離を行ってもよい。このとき、有機樹脂を含む絶
縁層は基材として用いることもできる。
【０２１８】
接着層には、紫外線硬化型等の光硬化型樹脂、反応硬化型樹脂、熱硬化型樹脂、嫌気型
樹脂などの各種硬化型樹脂を用いることができる。これら樹脂としては、エポキシ樹脂、
アクリル樹脂、シリコーン樹脂、フェノール樹脂、ポリイミド樹脂、イミド樹脂、ＰＶＣ
（ポリビニルクロライド）樹脂、ＰＶＢ（ポリビニルブチラル）樹脂、ＥＶＡ（エチレン
ビニルアセテート）樹脂等が挙げられる。特に、エポキシ樹脂等の透湿性が低い材料が好
ましい。また、二液混合型の樹脂を用いてもよい。また、接着シート等を用いてもよい。
【０２１９】
また、上記樹脂に乾燥剤を含んでいてもよい。例えば、アルカリ土類金属の酸化物（酸
化カルシウムや酸化バリウム等）のように、化学吸着によって水分を吸着する物質を用い
ることができる。又は、ゼオライトやシリカゲル等のように、物理吸着によって水分を吸
着する物質を用いてもよい。乾燥剤が含まれていると、水分などの不純物が発光素子に侵
入することを抑制でき、表示パネルの信頼性が向上するため好ましい。
【０２２０】
また、上記樹脂に屈折率の高いフィラーや光散乱部材を混合することにより、発光素子
からの光取り出し効率を向上させることができる。例えば、酸化チタン、酸化バリウム、
ゼオライト、ジルコニウム等を用いることができる。
【０２２１】
絶縁層７０５および絶縁層７１５としては、防湿性の高い絶縁膜を用いることが好まし
い。または、絶縁層７０５および絶縁層７１５は、不純物の発光素子への拡散を防ぐ機能
を有していることが好ましい。
【０２２２】
防湿性の高い絶縁膜としては、窒化シリコン膜、窒化酸化シリコン膜等の窒素と珪素を
含む膜や、窒化アルミニウム膜等の窒素とアルミニウムを含む膜等が挙げられる。また、
酸化シリコン膜、酸化窒化シリコン膜、酸化アルミニウム膜等を用いてもよい。
【０２２３】
例えば、防湿性の高い絶縁膜の水蒸気透過量は、１×１０−５［ｇ／（ｍ２・ｄａｙ）
］以下、好ましくは１×１０−６［ｇ／（ｍ２・ｄａｙ）］以下、より好ましくは１×１
０−７［ｇ／（ｍ２・ｄａｙ）］以下、さらに好ましくは１×１０−８［ｇ／（ｍ２・ｄ
ａｙ）］以下とする。
【０２２４】
表示パネルにおいて、絶縁層７０５又は絶縁層７１５のうち、少なくとも発光面側の絶
縁層は、発光素子の発光を透過する必要がある。表示パネルが絶縁層７０５及び絶縁層７
１５を有する場合、絶縁層７０５又は絶縁層７１５のうち、発光素子の発光を透過する側
の絶縁層は、他方の絶縁層よりも、波長４００ｎｍ以上８００ｎｍ以下における透過率の
平均が高いことが好ましい。
【０２２５】
絶縁層７０５や絶縁層７１５は、酸素、窒素、及びシリコンを有することが好ましい。
例えば、絶縁層７０５や絶縁層７１５は、酸化窒化シリコンを有することが好ましい。ま
た、絶縁層７０５や絶縁層７１５は、窒化シリコン又は窒化酸化シリコンを有することが
好ましい。また、絶縁層７０５や絶縁層７１５は、酸化窒化シリコン膜及び窒化シリコン
膜を有し、該酸化窒化シリコン膜及び該窒化シリコン膜は接することが好ましい。酸化窒
化シリコン膜と、窒化シリコン膜と、を交互に積層し、逆位相の干渉が可視領域で多く起
こるようにすることで、積層体の可視領域における透過率を高めることができる。
【０２２６】
表示パネルが有するトランジスタの構造は特に限定されない。例えば、スタガ型のトラ
ンジスタとしてもよいし、逆スタガ型のトランジスタとしてもよい。また、トップゲート
型又はボトムゲート型のいずれのトランジスタ構造としてもよい。トランジスタに用いる
半導体材料は特に限定されず、例えば、シリコン、ゲルマニウム、有機半導体等が挙げら
れる。又は、Ｉｎ−Ｇａ−Ｚｎ系金属酸化物などの、インジウム、ガリウム、亜鉛のうち
少なくとも一つを含む酸化物半導体を用いてもよい。
【０２２７】
トランジスタに用いる半導体材料の結晶性についても特に限定されず、非晶質半導体、
結晶性を有する半導体（微結晶半導体、多結晶半導体、単結晶半導体、又は一部に結晶領
域を有する半導体）のいずれを用いてもよい。結晶性を有する半導体を用いると、トラン
ジスタ特性の劣化を抑制できるため好ましい。
【０２２８】
トランジスタの特性安定化等のため、下地膜を設けることが好ましい。下地膜としては
、酸化シリコン膜、窒化シリコン膜、酸化窒化シリコン膜、窒化酸化シリコン膜などの無
機絶縁膜を用い、単層で又は積層して作製することができる。下地膜はスパッタリング法
、ＣＶＤ（Ｃｈｅｍｉｃａｌ  Ｖａｐｏｒ  Ｄｅｐｏｓｉｔｉｏｎ）法（プラズマＣＶＤ
法、熱ＣＶＤ法、ＭＯＣＶＤ（Ｍｅｔａｌ  Ｏｒｇａｎｉｃ  ＣＶＤ）法など）、ＡＬＤ
（Ａｔｏｍｉｃ  Ｌａｙｅｒ  Ｄｅｐｏｓｉｔｉｏｎ）法、塗布法、印刷法等を用いて形
成できる。なお、下地膜は、必要で無ければ設けなくてもよい。上記各構成例では、絶縁
層７０５がトランジスタの下地膜を兼ねることができる。
【０２２９】
発光素子としては、自発光が可能な素子を用いることができ、電流又は電圧によって輝
度が制御される素子をその範疇に含んでいる。例えば、発光ダイオード（ＬＥＤ）、有機
ＥＬ素子、無機ＥＬ素子等を用いることができる。
【０２３０】
発光素子は、トップエミッション型、ボトムエミッション型、デュアルエミッション型
のいずれであってもよい。光を取り出す側の電極には、可視光を透過する導電膜を用いる
。また、光を取り出さない側の電極には、可視光を反射する導電膜を用いることが好まし
い。
【０２３１】
可視光を透過する導電膜は、例えば、酸化インジウム、インジウム錫酸化物（ＩＴＯ：
Ｉｎｄｉｕｍ  Ｔｉｎ  Ｏｘｉｄｅ）、インジウム亜鉛酸化物、酸化亜鉛（ＺｎＯ）、ガ
リウムを添加した酸化亜鉛などを用いて形成することができる。また、金、銀、白金、マ
グネシウム、ニッケル、タングステン、クロム、モリブデン、鉄、コバルト、銅、パラジ
ウム、もしくはチタン等の金属材料、これら金属材料を含む合金、又はこれら金属材料の
窒化物（例えば、窒化チタン）等も、透光性を有する程度に薄く形成することで用いるこ
とができる。また、上記材料の積層膜を導電層として用いることができる。例えば、銀と
マグネシウムの合金とＩＴＯの積層膜などを用いると、導電性を高めることができるため
好ましい。また、グラフェン等を用いてもよい。
【０２３２】
可視光を反射する導電膜は、例えば、アルミニウム、金、白金、銀、ニッケル、タング
ステン、クロム、モリブデン、鉄、コバルト、銅、もしくはパラジウム等の金属材料、又
はこれら金属材料を含む合金を用いることができる。また、上記金属材料や合金に、ラン
タン、ネオジム、又はゲルマニウム等が添加されていてもよい。また、アルミニウムとチ
タンの合金、アルミニウムとニッケルの合金、アルミニウムとネオジムの合金、アルミニ
ウム、ニッケル、及びランタンの合金（Ａｌ−Ｎｉ−Ｌａ）等のアルミニウムを含む合金
（アルミニウム合金）や、銀と銅の合金、銀とパラジウムと銅の合金（Ａｇ−Ｐｄ−Ｃｕ
、ＡＰＣとも記す）、銀とマグネシウムの合金等の銀を含む合金を用いて形成することが
できる。銀と銅を含む合金は、耐熱性が高いため好ましい。さらに、アルミニウム合金膜
に接する金属膜又は金属酸化物膜を積層することで、アルミニウム合金膜の酸化を抑制す
ることができる。該金属膜、金属酸化物膜の材料としては、チタン、酸化チタンなどが挙
げられる。また、上記可視光を透過する導電膜と金属材料からなる膜とを積層してもよい
。例えば、銀とＩＴＯの積層膜、銀とマグネシウムの合金とＩＴＯの積層膜などを用いる
ことができる。
【０２３３】
下部電極８３１、上部電極８３５、および補助電極８６０を構成する導電層（導電層８
６０ａ、導電層８６０ｂ）に用いる材料として、上記の可視光を透過する導電膜または可
視光を反射する導電膜を用いることができる。
【０２３４】
電極は、それぞれ、蒸着法やスパッタリング法を用いて形成すればよい。そのほか、イ
ンクジェット法などの吐出法、スクリーン印刷法などの印刷法、又はメッキ法を用いて形
成することができる。
【０２３５】
下部電極８３１及び上部電極８３５の間に、発光素子の閾値電圧より高い電圧を印加す
ると、ＥＬ層８３３に陽極側から正孔が注入され、陰極側から電子が注入される。注入さ
れた電子と正孔はＥＬ層８３３において再結合し、ＥＬ層８３３に含まれる発光物質が発
光する。
【０２３６】
ＥＬ層８３３は少なくとも発光層を有する。ＥＬ層８３３は、発光層以外の層として、
正孔注入性の高い物質、正孔輸送性の高い物質、正孔ブロック材料、電子輸送性の高い物
質、電子注入性の高い物質、又はバイポーラ性の物質（電子輸送性及び正孔輸送性が高い
物質）等を含む層をさらに有していてもよい。
【０２３７】
ＥＬ層８３３には低分子系化合物及び高分子系化合物のいずれを用いることもでき、無
機化合物を含んでいてもよい。ＥＬ層８３３を構成する層は、それぞれ、蒸着法（真空蒸
着法を含む）、転写法、印刷法、インクジェット法、塗布法等の方法で形成することがで
きる。
【０２３８】
発光素子８３０は、２以上の発光物質を含んでいてもよい。これにより、例えば、白色
発光の発光素子を実現することができる。例えば２以上の発光物質の各々の発光が補色の
関係となるように、発光物質を選択することにより白色発光を得ることができる。例えば
、Ｒ（赤）、Ｇ（緑）、Ｂ（青）、Ｙ（黄）、又はＯ（橙）等の発光を示す発光物質や、
Ｒ、Ｇ、Ｂのうち２以上の色のスペクトル成分を含む発光を示す発光物質を用いることが
できる。例えば、青の発光を示す発光物質と、黄の発光を示す発光物質を用いてもよい。
このとき、黄の発光を示す発光物質の発光スペクトルは、緑及び赤のスペクトル成分を含
むことが好ましい。また、発光素子８３０の発光スペクトルは、可視領域の波長（例えば
３５０ｎｍ以上７５０ｎｍ以下、又は４００ｎｍ以上８００ｎｍ以下など）の範囲内に２
以上のピークを有することが好ましい。
【０２３９】
ＥＬ層８３３は、複数の発光層を有していてもよい。ＥＬ層８３３において、複数の発
光層は、互いに接して積層されていてもよいし、分離層を介して積層されていてもよい。
例えば、蛍光発光層と、燐光発光層との間に、分離層を設けてもよい。
【０２４０】
分離層は、例えば、燐光発光層中で生成する燐光材料等の励起状態から蛍光発光層中の
蛍光材料等へのデクスター機構によるエネルギー移動（特に三重項エネルギー移動）を防
ぐために設けることができる。分離層は数ｎｍ程度の厚さがあればよい。具体的には、０
．１ｎｍ以上２０ｎｍ以下、あるいは１ｎｍ以上１０ｎｍ以下、あるいは１ｎｍ以上５ｎ
ｍ以下である。分離層は、単一の材料（好ましくはバイポーラ性の物質）、又は複数の材
料（好ましくは正孔輸送性材料及び電子輸送性材料）を含む。
【０２４１】
分離層は、該分離層と接する発光層に含まれる材料を用いて形成してもよい。これによ
り、発光素子の作製が容易になり、また、駆動電圧が低減される。例えば、燐光発光層が
、ホスト材料、アシスト材料、及び燐光材料（ゲスト材料）からなる場合、分離層を、該
ホスト材料及びアシスト材料で形成してもよい。上記構成を別言すると、分離層は、燐光
材料を含まない領域を有し、燐光発光層は、燐光材料を含む領域を有する。これにより、
分離層と燐光発光層とを燐光材料の有無の選択によって各々蒸着することが可能となる。
また、このような構成とすることで、分離層と燐光発光層を同じチャンバーで成膜するこ
とが可能となる。これにより、製造コストを削減することができる。
【０２４２】
また、発光素子８３０は、ＥＬ層を１つ有するシングル素子であってもよいし、電荷発
生層を介して積層されたＥＬ層を複数有するタンデム素子であってもよい。
【０２４３】
発光素子は、一対の防湿性の高い絶縁膜の間に設けられていることが好ましい。これに
より、発光素子に水等の不純物が侵入することを抑制でき、表示パネルの信頼性の低下を
抑制できる。
【０２４４】
絶縁層８１５および絶縁層８１６としては、例えば、酸化シリコン膜、酸化窒化シリコ
ン膜、酸化アルミニウム膜などの無機絶縁膜を用いることができる。なお、絶縁層８１５
と絶縁層８１６を、それぞれ別の材料で形成してもよい。また、絶縁層８１７、絶縁層８
１７ａ、及び絶縁層８１７ｂとしては、例えば、ポリイミド、アクリル、ポリアミド、ポ
リイミドアミド、ベンゾシクロブテン系樹脂等の有機材料をそれぞれ用いることができる
。また、低誘電率材料（ｌｏｗ−ｋ材料）等を用いることができる。また、絶縁膜を複数
積層させることで、各絶縁層を形成してもよい。
【０２４５】
絶縁層８２１としては、有機絶縁材料又は無機絶縁材料を用いて形成する。樹脂として
は、例えば、ポリイミド樹脂、ポリアミド樹脂、アクリル樹脂、シロキサン樹脂、エポキ
シ樹脂、又はフェノール樹脂等を用いることができる。特に感光性の樹脂材料を用い、下
部電極８３１上に開口部を形成し、その開口部の側壁が連続した曲率を持って形成される
傾斜面となるように形成することが好ましい。
【０２４６】
絶縁層８２１の形成方法は、特に限定されないが、フォトリソグラフィ法、スパッタ法
、蒸着法、液滴吐出法（インクジェット法等）、印刷法（スクリーン印刷、オフセット印
刷等）等を用いればよい。
【０２４７】
スペーサ８２３は、無機絶縁材料、有機絶縁材料、金属材料等を用いて形成することが
できる。例えば、無機絶縁材料や有機絶縁材料としては、上記絶縁層に用いることができ
る各種材料が挙げられる。金属材料としては、チタン、アルミニウムなどを用いることが
できる。導電材料を含むスペーサ８２３と上部電極８３５とを電気的に接続させる構成と
することで、上部電極８３５の抵抗に起因した電位降下を抑制できる。また、スペーサ８
２３は、順テーパ形状であっても逆テーパ形状であってもよい。
【０２４８】
トランジスタの電極や配線、又は発光素子の補助電極等として機能する、表示パネルに
用いる導電層は、例えば、モリブデン、チタン、クロム、タンタル、タングステン、アル
ミニウム、銅、ネオジム、スカンジウム等の金属材料又はこれらの元素を含む合金材料を
用いて、単層で又は積層して形成することができる。また、導電層は、導電性の金属酸化
物を用いて形成してもよい。導電性の金属酸化物としては酸化インジウム（Ｉｎ２Ｏ３等
）、酸化スズ（ＳｎＯ２等）、ＺｎＯ、ＩＴＯ、インジウム亜鉛酸化物（Ｉｎ２Ｏ３−Ｚ
ｎＯ等）又はこれらの金属酸化物材料に酸化シリコンを含ませたものを用いることができ
る。
【０２４９】
着色層は特定の波長帯域の光を透過する有色層である。例えば、赤色、緑色、青色、又
は黄色の波長帯域の光を透過するカラーフィルタなどを用いることができる。各着色層は
、様々な材料を用いて、印刷法、インクジェット法、フォトリソグラフィ法を用いたエッ
チング方法などでそれぞれ所望の位置に形成する。また、白色の副画素では、発光素子と
重ねて透明又は白色等の樹脂を配置してもよい。
【０２５０】
遮光層は、隣接する着色層の間に設けられている。遮光層は隣接する発光素子からの光
を遮光し、隣接する発光素子間における混色を抑制する。ここで、着色層の端部を、遮光
層と重なるように設けることにより、光漏れを抑制することができる。遮光層としては、
発光素子からの発光を遮る材料を用いることができ、例えば、金属材料や顔料や染料を含
む樹脂材料を用いてブラックマトリクスを形成すればよい。なお、遮光層は、駆動回路部
などの表示部以外の領域に設けると、導波光などによる意図しない光漏れを抑制できるた
め好ましい。
【０２５１】
また、着色層及び遮光層を覆うオーバーコートを設けてもよい。オーバーコートを設け
ることで、着色層に含有された不純物等の発光素子への拡散を防止することができる。オ
ーバーコートは、発光素子からの発光を透過する材料から構成され、例えば窒化シリコン
膜、酸化シリコン膜等の無機絶縁膜や、アクリル膜、ポリイミド膜等の有機絶縁膜を用い
ることができ、有機絶縁膜と無機絶縁膜との積層構造としてもよい。
【０２５２】
また、接着層の材料を着色層及び遮光層上に塗布する場合、オーバーコートの材料とし
て接着層の材料に対してぬれ性の高い材料を用いることが好ましい。例えば、オーバーコ
ートとして、ＩＴＯ膜などの酸化物導電膜や、透光性を有する程度に薄いＡｇ膜等の金属
膜を用いることが好ましい。
【０２５３】
接続体としては、様々な異方性導電フィルム（ＡＣＦ：Ａｎｉｓｏｔｒｏｐｉｃ  Ｃｏ
ｎｄｕｃｔｉｖｅ  Ｆｉｌｍ）や、異方性導電ペースト（ＡＣＰ：Ａｎｉｓｏｔｒｏｐｉ
ｃ  Ｃｏｎｄｕｃｔｉｖｅ  Ｐａｓｔｅ）などを用いることができる。
【０２５４】
本明細書等において、表示素子、表示素子を有するパネルである表示パネル、発光素子
、及び発光素子を有するパネルである発光パネルは、様々な形態を用いること、又は様々
な素子を有することができる。表示素子、表示パネル、発光素子又は発光パネルは、例え
ば、ＥＬ素子（有機物及び無機物を含むＥＬ素子、有機ＥＬ素子、無機ＥＬ素子）、ＬＥ
Ｄ（白色ＬＥＤ、赤色ＬＥＤ、緑色ＬＥＤ、青色ＬＥＤなど）、トランジスタ（電流に応
じて発光するトランジスタ）、電子放出素子、液晶素子、電子インク、電気泳動素子、グ
レーティングライトバルブ（ＧＬＶ）、プラズマディスプレイパネル（ＰＤＰ）、ＭＥＭ
Ｓ（マイクロ・エレクトロ・メカニカル・システム）を用いた表示素子、デジタルマイク
ロミラーデバイス（ＤＭＤ）、ＤＭＳ（デジタル・マイクロ・シャッター）、ＩＭＯＤ（
インターフェアレンス・モジュレーション）素子、シャッター方式のＭＥＭＳ表示素子、
光干渉方式のＭＥＭＳ表示素子、エレクトロウェッティング素子、圧電セラミックディス
プレイ、カーボンナノチューブを用いた表示素子など、電気的または磁気的作用により、
コントラスト、輝度、反射率、透過率などが変化する表示媒体を有していてもよい。ＥＬ
素子を用いた表示パネルの一例としては、ＥＬディスプレイなどがある。電子放出素子を
用いた表示パネルの一例としては、フィールドエミッションディスプレイ（ＦＥＤ）又は
ＳＥＤ方式平面型ディスプレイ（ＳＥＤ：Ｓｕｒｆａｃｅ−ｃｏｎｄｕｃｔｉｏｎ  Ｅｌ
ｅｃｔｒｏｎ−ｅｍｉｔｔｅｒ  Ｄｉｓｐｌａｙ）などがある。液晶素子を用いた表示パ
ネルの一例としては、液晶ディスプレイ（透過型液晶ディスプレイ、半透過型液晶ディス
プレイ、反射型液晶ディスプレイ、直視型液晶ディスプレイ、投射型液晶ディスプレイ）
などがある。電子インク、電子粉流体（登録商標）、又は電気泳動素子を用いた表示パネ
ルの一例としては、電子ペーパーなどがある。なお、半透過型液晶ディスプレイや反射型
液晶ディスプレイを実現する場合には、画素電極の一部又は全部が、反射電極としての機
能を有するようにすればよい。例えば、画素電極の一部又は全部が、アルミニウム、銀な
どを有するようにすればよい。さらに、その場合、反射電極の下に、ＳＲＡＭなどの記憶
回路を設けることも可能である。これにより、さらに、消費電力を低減することができる
。なお、ＬＥＤを用いる場合、ＬＥＤの電極や窒化物半導体の下に、グラフェンやグラフ
ァイトを配置してもよい。グラフェンやグラファイトは、複数の層を重ねて、多層膜とし
てもよい。このように、グラフェンやグラファイトを設けることにより、その上に、窒化
物半導体、例えば、結晶を有するｎ型ＧａＮ半導体層などを容易に成膜することができる
。さらに、その上に、結晶を有するｐ型ＧａＮ半導体層などを設けて、ＬＥＤを構成する
ことができる。なお、グラフェンやグラファイトと、結晶を有するｎ型ＧａＮ半導体層と
の間に、ＡｌＮ層を設けてもよい。なお、ＬＥＤが有するＧａＮ半導体層は、ＭＯＣＶＤ
で成膜してもよい。ただし、グラフェンを設けることにより、ＬＥＤが有するＧａＮ半導
体層は、スパッタ法で成膜することも可能である。
【０２５５】
例えば、本明細書等において、画素に能動素子（アクティブ素子、非線形素子）を有す
るアクティブマトリクス方式、又は画素に能動素子を有しないパッシブマトリクス方式を
用いることができる。
【０２５６】
アクティブマトリクス方式では、トランジスタだけでなく、様々な能動素子を用いるこ
とができる。例えば、ＭＩＭ（Ｍｅｔａｌ  Ｉｎｓｕｌａｔｏｒ  Ｍｅｔａｌ）、又はＴ
ＦＤ（Ｔｈｉｎ  Ｆｉｌｍ  Ｄｉｏｄｅ）などを用いることも可能である。これらの素子
は、製造工程が少ないため、製造コストの低減、又は歩留まりの向上を図ることができる
。又は、これらの素子は、素子のサイズが小さいため、開口率を向上させることができ、
低消費電力化や高輝度化を図ることができる。
【０２５７】
パッシブマトリクス方式では、能動素子を用いないため、製造工程を少なくすることが
でき、製造コストの低減、又は歩留まりの向上を図ることができる。又は、パッシブマト
リクス方式では、能動素子を用いないため、開口率を向上させることができ、低消費電力
化、又は高輝度化などを図ることができる。
【０２５８】
なお、本発明の一態様の発光パネルは、表示パネルとして用いてもよいし、照明パネル
として用いてもよい。例えば、バックライトやフロントライトなどの光源、つまり、表示
パネルのための照明パネルとして活用してもよい。
【０２５９】
以上のように、本実施の形態で例示した、透明部を有する表示パネルを用いることで、
表示部の継ぎ目が認識されにくく、表示ムラが抑制された、大型の表示装置を実現するこ
とができる。
【０２６０】
本実施の形態は、他の実施の形態と適宜組み合わせることができる。
【０２６１】
（実施の形態３）
本実施の形態では、本発明の一態様の表示装置に用いることができるタッチパネルにつ
いて図面を用いて説明する。なお、実施の形態２で説明した表示パネルと同様の構成につ
いては、先の記載も参照することができる。また、本実施の形態では、発光素子を用いた
タッチパネルを例示するが、これに限られない。例えば、実施の形態２に例示した他の素
子（表示素子など）を用いたタッチパネルも本発明の一態様の表示装置に用いることがで
きる。
【０２６２】
［構成例１］
図１８（Ａ）はタッチパネルの上面図である。図１８（Ｂ）は図１８（Ａ）の一点鎖線
Ａ−Ｂ間及び一点鎖線Ｃ−Ｄ間の断面図である。図１８（Ｃ）は図１８（Ａ）の一点鎖線
Ｅ−Ｆ間の断面図である。
【０２６３】
図１８（Ａ）に示すタッチパネル３９０は、表示部３０１（入力部も兼ねる）、走査線
駆動回路３０３ｇ（１）、撮像画素駆動回路３０３ｇ（２）、画像信号線駆動回路３０３
ｓ（１）、及び撮像信号線駆動回路３０３ｓ（２）を有する。
【０２６４】
表示部３０１は、複数の画素３０２と、複数の撮像画素３０８と、を有する。
【０２６５】
画素３０２は、複数の副画素を有する。各副画素は、発光素子及び画素回路を有する。
【０２６６】
画素回路は、発光素子を駆動する電力を供給することができる。画素回路は、選択信号
を供給することができる配線と電気的に接続される。また、画素回路は、画像信号を供給
することができる配線と電気的に接続される。
【０２６７】
走査線駆動回路３０３ｇ（１）は、選択信号を画素３０２に供給することができる。
【０２６８】
画像信号線駆動回路３０３ｓ（１）は、画像信号を画素３０２に供給することができる
。
【０２６９】
撮像画素３０８を用いてタッチセンサを構成することができる。具体的には、撮像画素
３０８は、表示部３０１に触れる指等を検知することができる。
【０２７０】
撮像画素３０８は、光電変換素子及び撮像画素回路を有する。
【０２７１】
撮像画素回路は、光電変換素子を駆動することができる。撮像画素回路は、制御信号を
供給することができる配線と電気的に接続される。また、撮像画素回路は、電源電位を供
給することができる配線と電気的に接続される。
【０２７２】
制御信号としては、例えば、記録された撮像信号を読み出す撮像画素回路を選択するこ
とができる信号、撮像画素回路を初期化することができる信号、及び撮像画素回路が光を
検知する時間を決定することができる信号などを挙げることができる。
【０２７３】
撮像画素駆動回路３０３ｇ（２）は、制御信号を撮像画素３０８に供給することができ
る。
【０２７４】
撮像信号線駆動回路３０３ｓ（２）は、撮像信号を読み出すことができる。
【０２７５】
図１８（Ｂ）、（Ｃ）に示すように、タッチパネル３９０は、基板７０１、接着層７０
３、絶縁層７０５、基板７１１、接着層７１３、及び絶縁層７１５を有する。また、基板
７０１及び基板７１１は、接着層３６０で貼り合わされている。
【０２７６】
基板７０１と絶縁層７０５は接着層７０３で貼り合わされている。また、基板７１１と
絶縁層７１５は接着層７１３で貼り合わされている。
【０２７７】
基板７０１および基板７１１は、可撓性を有することが好ましい。
【０２７８】
基板、接着層、及び絶縁層に用いることができる材料については実施の形態２を参照す
ることができる。
【０２７９】
画素３０２は、副画素３０２Ｒ、副画素３０２Ｇ、及び副画素３０２Ｂを有する（図１
８（Ｃ））。また、副画素３０２Ｒは発光モジュール３８０Ｒを有し、副画素３０２Ｇは
発光モジュール３８０Ｇを有し、副画素３０２Ｂは発光モジュール３８０Ｂを有する。
【０２８０】
例えば副画素３０２Ｒは、発光素子３５０Ｒ及び画素回路を有する。画素回路は、発光
素子３５０Ｒに電力を供給することができるトランジスタ３０２ｔを含む。また、発光モ
ジュール３８０Ｒは、発光素子３５０Ｒ及び光学素子（例えば赤色の光を透過する着色層
３６７Ｒ）を有する。
【０２８１】
発光素子３５０Ｒは、下部電極３５１Ｒ、ＥＬ層３５３、及び上部電極３５２をこの順
で積層して有する（図１８（Ｃ））。
【０２８２】
ＥＬ層３５３は、第１のＥＬ層３５３ａ、中間層３５４、及び第２のＥＬ層３５３ｂを
この順で積層して有する。
【０２８３】
なお、特定の波長の光を効率よく取り出せるように、発光モジュール３８０Ｒにマイク
ロキャビティ構造を配設することができる。具体的には、特定の光を効率よく取り出せる
ように配置された可視光を反射する膜及び半反射・半透過する膜の間にＥＬ層を配置して
もよい。
【０２８４】
例えば、発光モジュール３８０Ｒは、発光素子３５０Ｒと着色層３６７Ｒに接する接着
層３６０を有する。
【０２８５】
着色層３６７Ｒは発光素子３５０Ｒと重なる位置にある。これにより、発光素子３５０
Ｒが発する光の一部は、接着層３６０及び着色層３６７Ｒを透過して、図中の矢印に示す
ように発光モジュール３８０Ｒの外部に射出される。
【０２８６】
タッチパネル３９０は、遮光層３６７ＢＭを有する。遮光層３６７ＢＭは、着色層（例
えば着色層３６７Ｒ）を囲むように設けられている。
【０２８７】
タッチパネル３９０は、反射防止層３６７ｐを表示部３０１に重なる位置に有する。反
射防止層３６７ｐとして、例えば円偏光板を用いることができる。
【０２８８】
タッチパネル３９０は、絶縁層３２１を有する。絶縁層３２１はトランジスタ３０２ｔ
等を覆っている。なお、絶縁層３２１は画素回路や撮像画素回路に起因する凹凸を平坦化
するための層として用いることができる。また、不純物のトランジスタ３０２ｔ等への拡
散を抑制することができる層が積層された絶縁層を、絶縁層３２１に適用することができ
る。
【０２８９】
タッチパネル３９０は、下部電極３５１Ｒの端部に重なる隔壁３２８を有する。また、
基板７０１と基板７１１の間隔を制御するスペーサ３２９を、隔壁３２８上に有する。
【０２９０】
画像信号線駆動回路３０３ｓ（１）は、トランジスタ３０３ｔ及び容量３０３ｃを含む
。なお、駆動回路は画素回路と同一の工程で同一基板上に形成することができる。図１８
（Ｂ）に示すようにトランジスタ３０３ｔは絶縁層３２１上に第２のゲート３０４を有し
ていてもよい。第２のゲート３０４はトランジスタ３０３ｔのゲートと電気的に接続され
ていてもよいし、これらに異なる電位が与えられていてもよい。また、必要であれば、第
２のゲート３０４をトランジスタ３０８ｔ、トランジスタ３０２ｔ等に設けてもよい。
【０２９１】
撮像画素３０８は、光電変換素子３０８ｐ及び撮像画素回路を有する。撮像画素回路は
、光電変換素子３０８ｐに照射された光を検知することができる。撮像画素回路は、トラ
ンジスタ３０８ｔを含む。
【０２９２】
例えばｐｉｎ型のフォトダイオードを光電変換素子３０８ｐに用いることができる。
【０２９３】
タッチパネル３９０は、信号を供給することができる配線３１１を有し、端子３１９が
配線３１１に設けられている。なお、画像信号及び同期信号等の信号を供給することがで
きるＦＰＣ３０９が端子３１９に電気的に接続されている。なお、ＦＰＣ３０９にはプリ
ント配線基板（ＰＷＢ）が取り付けられていてもよい。
【０２９４】
なお、トランジスタ３０２ｔ、トランジスタ３０３ｔ、トランジスタ３０８ｔ等のトラ
ンジスタは、同一の工程で形成することができる。又は、それぞれ異なる工程で形成して
もよい。
【０２９５】
［構成例２］
図１９（Ａ）、（Ｂ）は、タッチパネル５０５Ａの斜視図である。なお明瞭化のため、
代表的な構成要素を示す。図２０（Ａ）は、図１９（Ａ）に示す一点鎖線Ｇ−Ｈ間の断面
図である。
【０２９６】
図１９（Ａ）、（Ｂ）に示すように、タッチパネル５０５Ａは、表示部５０１、走査線
駆動回路３０３ｇ（１）、及びタッチセンサ５９５等を有する。また、タッチパネル５０
５Ａは、基板７０１、基板７１１、及び基板５９０を有する。
【０２９７】
タッチパネル５０５Ａは、複数の画素及び複数の配線３１１を有する。複数の配線３１
１は、画素に信号を供給することができる。複数の配線３１１は、基板７０１の外周部に
まで引き回され、その一部が端子３１９を構成している。端子３１９はＦＰＣ５０９（１
）と電気的に接続する。
【０２９８】
タッチパネル５０５Ａは、タッチセンサ５９５及び複数の配線５９８を有する。複数の
配線５９８は、タッチセンサ５９５と電気的に接続される。複数の配線５９８は基板５９
０の外周部に引き回され、その一部は端子を構成する。そして、当該端子はＦＰＣ５０９
（２）と電気的に接続される。なお、図１９（Ｂ）では明瞭化のため、基板５９０の裏面
側（基板７０１と対向する面側）に設けられるタッチセンサ５９５の電極や配線等を実線
で示している。
【０２９９】
タッチセンサ５９５には、例えば静電容量方式のタッチセンサを適用できる。静電容量
方式としては、表面型静電容量方式、投影型静電容量方式等がある。ここでは、投影型静
電容量方式のタッチセンサを適用する場合を示す。
【０３００】
投影型静電容量方式としては、主に駆動方式の違いから自己容量方式、相互容量方式な
どがある。相互容量方式を用いると同時多点検出が可能となるため好ましい。
【０３０１】
なお、タッチセンサ５９５には、指等の検知対象の近接又は接触を検知することができ
るさまざまなセンサを適用することができる。
【０３０２】
投影型静電容量方式のタッチセンサ５９５は、電極５９１と電極５９２を有する。電極
５９１は複数の配線５９８のいずれかと電気的に接続し、電極５９２は複数の配線５９８
の他のいずれかと電気的に接続する。
【０３０３】
電極５９２は、図１９（Ａ）、（Ｂ）に示すように、一方向に繰り返し配置された複数
の四辺形が角部で接続された形状を有する。
【０３０４】
電極５９１は四辺形であり、電極５９２が延在する方向と交差する方向に繰り返し配置
されている。なお、複数の電極５９１は、一の電極５９２と必ずしも直交する方向に配置
される必要はなく、９０度未満の角度をなすように配置されてもよい。
【０３０５】
配線５９４は電極５９２と交差して設けられている。配線５９４は、電極５９２を挟む
二つの電極５９１を電気的に接続する。このとき、電極５９２と配線５９４の交差部の面
積ができるだけ小さくなる形状が好ましい。これにより、電極が設けられていない領域の
面積を低減でき、透過率のムラを低減できる。その結果、タッチセンサ５９５を透過する
光の輝度ムラを低減することができる。
【０３０６】
なお、電極５９１、電極５９２の形状はこれに限られず、様々な形状を取りうる。例え
ば、複数の電極５９１をできるだけ隙間が生じないように配置し、絶縁層を介して電極５
９２を、電極５９１と重ならない領域ができるように離間して複数設ける構成としてもよ
い。このとき、隣接する２つの電極５９２の間に、これらとは電気的に絶縁されたダミー
電極を設けると、透過率の異なる領域の面積を低減できるため好ましい。
【０３０７】
なお、タッチセンサ５９５のより具体的な構成例については後述する。
【０３０８】
図２０（Ａ）に示すように、タッチパネル５０５Ａは、基板７０１、接着層７０３、絶
縁層７０５、基板７１１、接着層７１３、及び絶縁層７１５を有する。また、基板７０１
及び基板７１１は、接着層３６０で貼り合わされている。
【０３０９】
接着層５９７は、タッチセンサ５９５が表示部５０１に重なるように、基板５９０を基
板７１１に貼り合わせている。接着層５９７は、透光性を有する。
【０３１０】
電極５９１及び電極５９２は、透光性を有する導電材料を用いて形成する。透光性を有
する導電性材料としては、酸化インジウム、インジウム錫酸化物、インジウム亜鉛酸化物
、酸化亜鉛、ガリウムを添加した酸化亜鉛などの導電性酸化物を用いることができる。な
お、グラフェンを含む膜を用いることもできる。グラフェンを含む膜は、例えば膜状に形
成された酸化グラフェンを含む膜を還元して形成することができる。還元する方法として
は、熱を加える方法等を挙げることができる。
【０３１１】
また、電極５９１、電極５９２、配線５９４などの導電膜、つまり、タッチパネルを構
成する配線や電極に用いる材料の抵抗値が低いことが望ましい。一例として、ＩＴＯ、イ
ンジウム亜鉛酸化物、ＺｎＯ、銀、銅、アルミニウム、カーボンナノチューブ、グラフェ
ンなどを用いてもよい。さらに、非常に細くした（例えば、直径が数ナノメートル）、多
数の導電体を用いて構成される金属ナノワイヤを用いてもよい。なお、透過率が高いため
、表示素子に用いる電極、例えば、画素電極や共通電極に、金属ナノワイヤ、カーボンナ
ノチューブ、グラフェンなどを用いてもよい。
【０３１２】
透光性を有する導電性材料を基板５９０上にスパッタリング法により成膜した後、フォ
トリソグラフィ法等の様々なパターニング技術により、不要な部分を除去して、電極５９
１及び電極５９２を形成することができる。
【０３１３】
電極５９１及び電極５９２は絶縁層５９３で覆われている。また、電極５９１に達する
開口が絶縁層５９３に設けられ、配線５９４が隣接する電極５９１を電気的に接続する。
透光性の導電性材料は、タッチパネルの開口率を高めることができるため、配線５９４に
好適に用いることができる。また、電極５９１及び電極５９２より導電性の高い材料は、
電気抵抗を低減できるため配線５９４に好適に用いることができる。
【０３１４】
なお、絶縁層５９３及び配線５９４を覆う絶縁層を設けて、タッチセンサ５９５を保護
することができる。
【０３１５】
また、接続層５９９は、配線５９８とＦＰＣ５０９（２）を電気的に接続する。
【０３１６】
表示部５０１は、マトリクス状に配置された複数の画素を有する。画素は、構成例１と
同様であるため、説明を省略する。
【０３１７】
なお、様々なトランジスタをタッチパネルに適用できる。ボトムゲート型のトランジス
タを適用する場合の構成を、図２０（Ａ）、（Ｂ）に示す。
【０３１８】
例えば、酸化物半導体、アモルファスシリコン等を含む半導体層を、図２０（Ａ）に示
すトランジスタ３０２ｔ及びトランジスタ３０３ｔに適用することができる。
【０３１９】
例えば、レーザーアニールなどの処理により結晶化させた多結晶シリコンを含む半導体
層を、図２０（Ｂ）に示すトランジスタ３０２ｔ及びトランジスタ３０３ｔに適用するこ
とができる。
【０３２０】
また、トップゲート型のトランジスタを適用する場合の構成を、図２０（Ｃ）に示す。
【０３２１】
例えば、多結晶シリコン又は単結晶シリコン基板等から転置された単結晶シリコン膜等
を含む半導体層を、図２０（Ｃ）に示すトランジスタ３０２ｔ及びトランジスタ３０３ｔ
に適用することができる。
【０３２２】
［構成例３］
図２１は、タッチパネル５０５Ｂの断面図である。本実施の形態で説明するタッチパネ
ル５０５Ｂは、供給された画像情報をトランジスタが設けられている側に表示する点、タ
ッチセンサが表示部の基板７０１側に設けられている点、及びＦＰＣ５０９（２）がＦＰ
Ｃ５０９（１）と同じ側に設けられている点が、構成例２のタッチパネル５０５Ａとは異
なる。ここでは異なる構成について詳細に説明し、同様の構成を用いることができる部分
は、上記の説明を援用する。
【０３２３】
着色層３６７Ｒは発光素子３５０Ｒと重なる位置にある。また、図２１（Ａ）に示す発
光素子３５０Ｒは、トランジスタ３０２ｔが設けられている側に光を射出する。これによ
り、発光素子３５０Ｒが発する光の一部は着色層３６７Ｒを透過して、図中に示す矢印の
方向の発光モジュール３８０Ｒの外部に射出される。
【０３２４】
タッチパネル５０５Ｂは、光を射出する方向に遮光層３６７ＢＭを有する。遮光層３６
７ＢＭは、着色層（例えば着色層３６７Ｒ）を囲むように設けられている。
【０３２５】
タッチセンサ５９５は、基板７１１側でなく、基板７０１側に設けられている（図２１
（Ａ））。
【０３２６】
接着層５９７は、タッチセンサ５９５が表示部に重なるように、基板５９０を基板７０
１に貼り合わせている。接着層５９７は、透光性を有する。
【０３２７】
なお、ボトムゲート型のトランジスタを表示部５０１に適用する場合の構成を、図２１
（Ａ）、（Ｂ）に示す。
【０３２８】
例えば、酸化物半導体、アモルファスシリコン等を含む半導体層を、図２１（Ａ）に示
すトランジスタ３０２ｔ及びトランジスタ３０３ｔに適用することができる。
【０３２９】
例えば、多結晶シリコン等を含む半導体層を、図２１（Ｂ）に示すトランジスタ３０２
ｔ及びトランジスタ３０３ｔに適用することができる。
【０３３０】
また、トップゲート型のトランジスタを適用する場合の構成を、図２１（Ｃ）に示す。
【０３３１】
例えば、多結晶シリコン又は転写された単結晶シリコン膜等を含む半導体層を、図２１
（Ｃ）に示すトランジスタ３０２ｔ及びトランジスタ３０３ｔに適用することができる。
【０３３２】
［タッチセンサの構成例］
以下では、タッチセンサ５９５のより具体的な構成例について、図面を参照して説明す
る。
【０３３３】
図２２（Ａ）に、タッチセンサ５９５の上面概略図を示す。タッチセンサ５９５は、基
板５９０上に複数の電極５３１、複数の電極５３２、複数の配線５４１、複数の配線５４
２を有する。また基板５９０には、複数の配線５４１及び複数の配線５４２の各々と電気
的に接続するＦＰＣ５５０が設けられている。
【０３３４】
図２２（Ｂ）に、図２２（Ａ）中の一点鎖線で囲った領域の拡大図を示す。電極５３１
は、複数の菱形の電極パターンが、紙面横方向に連なった形状を有している。一列に並ん
だ菱形の電極パターンは、それぞれ電気的に接続されている。また電極５３２も同様に、
複数の菱形の電極パターンが、紙面縦方向に連なった形状を有し、一列に並んだ菱形の電
極パターンはそれぞれ電気的に接続されている。また、電極５３１と、電極５３２とはこ
れらの一部が重畳し、互いに交差している。この交差部分では電極５３１と電極５３２と
が電気的に短絡（ショート）しないように、絶縁体が挟持されている。
【０３３５】
また図２２（Ｃ）に示すように、電極５３２が菱形の形状を有する複数の電極５３３と
、ブリッジ電極５３４によって構成されていてもよい。島状の電極５３３は、紙面縦方向
に並べて配置され、ブリッジ電極５３４により隣接する２つの電極５３３が電気的に接続
されている。このような構成とすることで、電極５３３と、電極５３１を同一の導電膜を
加工することで同時に形成することができる。そのためこれらの膜厚のばらつきを抑制す
ることができ、それぞれの電極の抵抗値や光透過率が場所によってばらつくことを抑制で
きる。なお、ここでは電極５３２がブリッジ電極５３４を有する構成としたが、電極５３
１がこのような構成であってもよい。
【０３３６】
また、図２２（Ｄ）に示すように、図２２（Ｂ）で示した電極５３１及び５３２の菱形
の電極パターンの内側をくりぬいて、輪郭部のみを残したような形状としてもよい。この
とき、電極５３１及び電極５３２の幅が、使用者から視認されない程度に細い場合には、
後述するように電極５３１及び電極５３２に金属や合金などの遮光性の材料を用いてもよ
い。また、図２２（Ｄ）に示す電極５３１または電極５３２が、上記ブリッジ電極５３４
を有する構成としてもよい。
【０３３７】
１つの電極５３１は、１つの配線５４１と電気的に接続している。また１つの電極５３
２は、１つの配線５４２と電気的に接続している。
【０３３８】
ここで、タッチセンサ５９５を表示パネルの表示面に重ねて、タッチパネルを構成する
場合には、電極５３１及び電極５３２に透光性を有する導電性材料を用いることが好まし
い。また、電極５３１及び電極５３２に透光性の導電性材料を用い、表示パネルからの光
を電極５３１または電極５３２を介して取り出す場合には、電極５３１と電極５３２との
間に、同一の導電性材料を含む導電膜をダミーパターンとして配置することが好ましい。
このように、電極５３１と電極５３２との間の隙間の一部をダミーパターンにより埋める
ことにより、光透過率のばらつきを低減できる。その結果、タッチセンサ５９５を透過す
る光の輝度ムラを低減することができる。
【０３３９】
透光性を有する導電性材料としては、酸化インジウム、インジウム錫酸化物、インジウ
ム亜鉛酸化物、酸化亜鉛、ガリウムを添加した酸化亜鉛などの導電性酸化物を用いること
ができる。なお、グラフェンを含む膜を用いることもできる。グラフェンを含む膜は、例
えば膜状に形成された酸化グラフェンを含む膜を還元して形成することができる。還元す
る方法としては、熱を加える方法等を挙げることができる。
【０３４０】
または、透光性を有する程度に薄い金属または合金を用いることができる。例えば、金
、銀、白金、マグネシウム、ニッケル、タングステン、クロム、モリブデン、鉄、コバル
ト、銅、パラジウム、またはチタンなどの金属や、該金属を含む合金を用いることができ
る。または、該金属または合金の窒化物（例えば、窒化チタン）などを用いてもよい。ま
た、上述した材料を含む導電膜のうち、２以上を積層した積層膜を用いてもよい。
【０３４１】
また、電極５３１及び電極５３２には、使用者から視認されない程度に細く加工された
導電膜を用いてもよい。例えば、このような導電膜を格子状（メッシュ状）に加工するこ
とで、高い導電性と表示装置の高い視認性を得ることができる。このとき、導電膜は３０
ｎｍ以上１００μｍ以下、好ましくは５０ｎｍ以上５０μｍ以下、より好ましくは５０ｎ
ｍ以上２０μｍ以下の幅である部分を有することが好ましい。特に、１０μｍ以下のパタ
ーン幅を有する導電膜は、使用者が視認することが極めて困難となるため好ましい。
【０３４２】
一例として、図２３（Ａ）乃至（Ｄ）に、電極５３１または電極５３２の一部（図２２
（Ｂ）において一点鎖線の円で囲んだ部分）を拡大した概略図を示している。図２３（Ａ
）は、格子状の導電膜５６１を用いた場合の例を示している。このとき、導電膜５６１が
表示装置が有する表示素子と重ならないように配置することで、表示装置からの光を遮光
することがないため好ましい。その場合、格子の向きを表示素子の配列と同じ向きとし、
また格子の周期を表示素子の配列の周期の整数倍とすることが好ましい。
【０３４３】
また、図２３（Ｂ）には、三角形の開口が形成されるように加工された格子状の導電膜
５６２の例を示している。このような構成とすることで、図２３（Ａ）に示した場合に比
べて抵抗をより低くすることが可能となる。
【０３４４】
また、図２３（Ｃ）に示すように、周期性を有さないパターン形状を有する導電膜５６
３としてもよい。このような構成とすることで、表示装置の表示部と重ねたときにモアレ
が生じることを抑制できる。なお、ここでモアレとは、微細な幅で等間隔に設けられた導
電膜等に、外部の光等が透過するとき、又は外部の光が反射するときに、回折や干渉によ
り生じる干渉模様をいう。
【０３４５】
また、電極５３１及び電極５３２に、導電性のナノワイヤを用いてもよい。図２３（Ｄ
）には、ナノワイヤ５６４を用いた場合の例を示している。隣接するナノワイヤ５６４同
士が接触するように、適当な密度で分散させることにより、２次元的なネットワークが形
成され、極めて透光性の高い導電膜として機能させることができる。例えば直径の平均値
が１ｎｍ以上１００ｎｍ以下、好ましくは５ｎｍ以上５０ｎｍ以下、より好ましくは５ｎ
ｍ以上２５ｎｍ以下のナノワイヤを用いることができる。ナノワイヤ５６４としては、Ａ
ｇナノワイヤや、Ｃｕナノワイヤ、Ａｌナノワイヤ等の金属ナノワイヤ、または、カーボ
ンナノチューブなどを用いることができる。例えばＡｇナノワイヤの場合、光透過率は８
９％以上、シート抵抗値は４０以上１００以下Ω／□を実現することができる。
【０３４６】
図２２（Ａ）等では、電極５３１及び電極５３２の上面形状として、複数の菱形が一方
向に連なった形状とした例を示したが、電極５３１及び電極５３２の形状としてはこれに
限られず、帯状（長方形状）、曲線を有する帯状、ジグザグ形状など、様々な上面形状と
することができる。また、上記では電極５３１と電極５３２とが直交するように配置され
ているように示しているが、これらは必ずしも直交して配置される必要はなく、２つの電
極の成す角が９０度未満であってもよい。
【０３４７】
図２４（Ａ）乃至（Ｃ）には、電極５３１及び電極５３２に代えて、細線状の上面形状
を有する電極５３６及び電極５３７を用いた場合の例を示している。図２４（Ａ）におい
て、それぞれ直線状の電極５３６及び電極５３７が、格子状に配列している例を示してい
る。
【０３４８】
また、図２４（Ｂ）では、電極５３６及び電極５３７がジグザグ状の上面形状を有する
場合の例を示している。このとき、図２４（Ｂ）に示すように、それぞれの直線部分の中
心位置を重ねるのではなく、相対的にずらして配置することで、電極５３６と電極５３７
とが平行に接近して対向する部分の長さを長くすることができ、電極間の容量が高められ
、検出感度が向上するため好ましい。または、図２４（Ｃ）に示すように、電極５３６及
び電極５３７の上面形状として、ジグザグ形状の直線部分の一部が突出した形状とすると
、当該直線部分の中心位置を重ねて配置しても、対向する部分の長さを長くすることがで
きるため電極間の容量を高めることができる。
【０３４９】
図２４（Ｂ）中の一点鎖線で囲った領域の拡大図を図２５（Ａ）（Ｂ）（Ｃ）に、図２
４（Ｃ）中の一点鎖線で囲った領域の拡大図を図２５（Ｄ）（Ｅ）（Ｆ）にそれぞれ示す
。また各図には電極５３６、電極５３７、およびこれらが交差する交差部５３８を示して
いる。図２５（Ｂ）、（Ｅ）に示すように、図２５（Ａ）、（Ｄ）における電極５３６及
び電極５３７の直線部分が、角部を有するように蛇行する形状であってもよいし、図２５
（Ｃ）、（Ｆ）に示すように、曲線が連続するように蛇行する形状であってもよい。
【０３５０】
［構成例４］
図２６に示すように、タッチパネル５００ＴＰは、表示部５００及び入力部６００を重
ねて有する。図２７は、図２６に示す一点鎖線Ｚ１−Ｚ２間の断面図である。
【０３５１】
以下に、タッチパネル５００ＴＰを構成する個々の要素について説明する。なお、これ
らの構成は明確に分離できず、一つの構成が他の構成を兼ねる場合や他の構成の一部を含
む場合がある。なお、表示部５００に入力部６００が重ねられたタッチパネル５００ＴＰ
をタッチパネルともいう。
【０３５２】
入力部６００は、マトリクス状に配設される複数の検知ユニット６０２を有する。また
、入力部６００は、選択信号線ＧＬ、制御線ＲＥＳ、信号線ＤＬなどを有する。
【０３５３】
選択信号線ＧＬや制御線ＲＥＳは、行方向（図中に矢印Ｒで示す）に配置される複数の
検知ユニット６０２と電気的に接続される。信号線ＤＬは、列方向（図中に矢印Ｃで示す
）に配置される複数の検知ユニット６０２と電気的に接続される。
【０３５４】
検知ユニット６０２は近接又は接触するものを検知して検知信号を供給する。例えば静
電容量、照度、磁力、電波又は圧力等を検知して、検知した物理量に基づく情報を供給す
る。具体的には、容量素子、光電変換素子、磁気検知素子、圧電素子又は共振器等を検知
素子に用いることができる。
【０３５５】
検知ユニット６０２は、例えば、近接又は接触するものとの間の静電容量の変化を検知
する。
【０３５６】
なお、大気中において、指などの大気より大きな誘電率を有するものが導電膜に近接す
ると、指と導電膜の間の静電容量が変化する。この静電容量の変化を検知して検知情報を
供給することができる。
【０３５７】
例えば、静電容量の変化に伴い容量素子との間で電荷の分配が引き起こされ、容量素子
の両端の電極の電圧が変化する。この電圧の変化を検知信号に用いることができる。
【０３５８】
検知ユニット６０２は検知回路を有する。検知回路は、選択信号線ＧＬ、制御線ＲＥＳ
又は信号線ＤＬなどに電気的に接続される。
【０３５９】
検知回路は、トランジスタ又は／及び検知素子等を有する。例えば、導電膜と、当該導
電膜に電気的に接続される容量素子と、を検知回路に用いることができる。また、容量素
子と、当該容量素子に電気的に接続されるトランジスタと、を検知回路に用いることがで
きる。
【０３６０】
検知回路には、例えば、絶縁層６５３と、絶縁層６５３を挟持する第１の電極６５１及
び第２の電極６５２と、を有する容量素子６５０を用いることができる（図２７）。容量
素子６５０の電極間の電圧は一方の電極に電気的に接続された導電膜にものが近接するこ
とにより変化する。
【０３６１】
検知ユニット６０２は、制御信号に基づいて導通状態又は非導通状態にすることができ
るスイッチを有する。例えば、トランジスタＭ１２をスイッチに用いることができる。
【０３６２】
また、検知信号を増幅するトランジスタを検知ユニット６０２に用いることができる。
【０３６３】
同一の工程で作製することができるトランジスタを、検知信号を増幅するトランジスタ
及びスイッチに用いることができる。これにより、作製工程が簡略化された入力部６００
を提供できる。
【０３６４】
また、検知ユニット６０２はマトリクス状に配置された複数の窓部６６７を有する。窓
部６６７は可視光を透過し、複数の窓部６６７の間に遮光性の層ＢＭを配設してもよい。
【０３６５】
タッチパネル５００ＴＰは、窓部６６７に重なる位置に着色層を有する。着色層は、所
定の色の光を透過する。なお、着色層はカラーフィルタということができる。例えば、青
色の光を透過する着色層３６７Ｂ、緑色の光を透過する着色層３６７Ｇ、又は赤色の光を
透過する着色層３６７Ｒを用いることができる。また、黄色の光を透過する着色層や白色
の光を透過する着色層を用いてもよい。
【０３６６】
表示部５００は、マトリクス状に配置された複数の画素３０２を有する。画素３０２は
入力部６００の窓部６６７と重なるように配置されている。画素３０２は、検知ユニット
６０２に比べて高い精細度で配設されてもよい。画素は、構成例１と同様であるため、説
明を省略する。
【０３６７】
タッチパネル５００ＴＰは、可視光を透過する窓部６６７及びマトリクス状に配設され
る複数の検知ユニット６０２を有する入力部６００と、窓部６６７に重なる画素３０２を
複数有する表示部５００と、を有し、窓部６６７と画素３０２の間に着色層を含んで構成
される。また、それぞれの検知ユニットに他の検知ユニットへの干渉を低減することがで
きるスイッチが配設されている。
【０３６８】
これにより、各検知ユニットが検知する検知情報を検知ユニットの位置情報と共に供給
することができる。また、画像を表示する画素の位置情報に関連付けて検知情報を供給す
ることができる。また、検知情報を供給させない検知ユニットと信号線を非導通状態にす
ることで、検知信号を供給させる検知ユニットへの干渉を低減することができる。その結
果、利便性又は信頼性に優れた新規なタッチパネル５００ＴＰを提供することができる。
【０３６９】
例えば、タッチパネル５００ＴＰの入力部６００は検知情報を検知して位置情報と共に
供給することができる。具体的には、タッチパネル５００ＴＰの使用者は、入力部６００
に触れた指等をポインタに用いて様々なジェスチャー（タップ、ドラッグ、スワイプ又は
ピンチイン等）をすることができる。
【０３７０】
入力部６００は、入力部６００に近接又は接触する指等を検知して、検知した位置又は
軌跡等を含む検知情報を供給することができる。
【０３７１】
演算装置は供給された情報が所定の条件を満たすか否かをプログラム等に基づいて判断
し、所定のジェスチャーに関連付けられた命令を実行する。
【０３７２】
これにより、入力部６００の使用者は、指等を用いて所定のジェスチャーを供給し、所
定のジェスチャーに関連付けられた命令を演算装置に実行させることができる。
【０３７３】
例えば、タッチパネル５００ＴＰの入力部６００は、まず、一の信号線に検知情報を供
給することができる複数の検知ユニットから一の検知ユニットＸを選択する。そして、検
知ユニットＸを除いた他の検知ユニットと当該一の信号線を非導通状態にする。これによ
り、他の検知ユニットがもたらす検知ユニットＸへの干渉を低減することができる。
【０３７４】
具体的には、他の検知ユニットの検知素子がもたらす検知ユニットＸの検知素子への干
渉を低減できる。
【０３７５】
例えば、容量素子及び当該容量素子の一の電極が電気的に接続された導電膜を検知素子
に用いる場合において、他の検知ユニットの導電膜の電位がもたらす、検知ユニットＸの
導電膜の電位への干渉を低減することができる。
【０３７６】
これにより、タッチパネル５００ＴＰはその大きさに依存することなく、検知ユニット
を駆動して、検知情報を供給させることができる。例えば、ハンドヘルド型に用いること
ができる大きさから、電子黒板に用いることができる大きさまで、さまざまな大きさのタ
ッチパネル５００ＴＰを提供することができる。
【０３７７】
また、タッチパネル５００ＴＰは、折り畳まれた状態及び展開された状態にすることが
できる。そして、折り畳まれた状態と展開された状態とで、他の検知ユニットがもたらす
検知ユニットＸへの干渉が異なる場合においても、タッチパネル５００ＴＰの状態に依存
することなく検知ユニットを駆動して、検知情報を供給させることができる。
【０３７８】
また、タッチパネル５００ＴＰの表示部５００は表示情報を供給されることができる。
例えば、演算装置は表示情報を供給することができる。
【０３７９】
以上の構成に加えて、タッチパネル５００ＴＰは以下の構成を有することもできる。
【０３８０】
タッチパネル５００ＴＰは、駆動回路６０３ｇ又は駆動回路６０３ｄを有してもよい。
また、ＦＰＣ１と電気的に接続されてもよい。
【０３８１】
駆動回路６０３ｇは例えば所定のタイミングで選択信号を供給することができる。具体
的には、選択信号を選択信号線ＧＬごとに所定の順番で供給する。また、さまざまな回路
を駆動回路６０３ｇに用いることができる。例えば、シフトレジスタ、フリップフロップ
回路、組み合わせ回路などを用いることができる。
【０３８２】
駆動回路６０３ｄは、検知ユニットが供給する検知信号に基づいて検知情報を供給する
。また、さまざまな回路を駆動回路６０３ｄに用いることができる。例えば、検知ユニッ
トに配設された検知回路と電気的に接続されることによりソースフォロワ回路やカレント
ミラー回路を構成することができる回路を、駆動回路６０３ｄに用いることができる。ま
た、検知信号をデジタル信号に変換するアナログデジタル変換回路を有していてもよい。
【０３８３】
ＦＰＣ１は、タイミング信号、電源電位等を供給し、検知信号を供給される。
【０３８４】
タッチパネル５００ＴＰは、駆動回路５０３ｇ、駆動回路５０３ｓ、配線３１１、又は
端子３１９を有してもよい。また、ＦＰＣ２と電気的に接続されてもよい。
【０３８５】
また、傷の発生を防いでタッチパネル５００ＴＰを保護する保護層６７０を有していて
もよい。例えば、セラミックコート層又はハードコート層を保護層６７０に用いることが
できる。具体的には、酸化アルミニウムを含む層又はＵＶ硬化樹脂を用いることができる
。
【０３８６】
なお、半透過型液晶ディスプレイや反射型液晶ディスプレイを実現する場合には、画素
電極の一部、又は、全部が、反射電極としての機能を有するようにすればよい。例えば、
画素電極の一部、又は、全部が、アルミニウム、銀、などを有するようにすればよい。
【０３８７】
また、反射電極の下に、ＳＲＡＭなどの記憶回路を設けることも可能である。これによ
り、さらに、消費電力を低減することができる。また、適用する表示素子に好適な構成を
様々な画素回路から選択して用いることができる。
【０３８８】
本実施の形態で説明したタッチパネルを、実施の形態１の表示装置１０を構成する表示
パネル１００のかわりに用いることができる。その場合、タッチパネル３９０やタッチパ
ネル５０５Ｂのように、タッチパネルに接続される複数のＦＰＣが一方向から取り出され
る構成のタッチパネルを好適に用いることができる。なお、表示パネル１００のかわりに
タッチパネルを用いた場合、表示装置１０は入出力装置と呼ぶこともできる。
【０３８９】
また、複数のタッチパネルを基板１０６と接着する接着層１０７を、それぞれのタッチ
パネルのタッチセンサ５９５（または入力部６００）における上面の高さを一致させ、か
つ該上面と基板１０６とが平行となるように設けることが好ましい。入出力装置の表面（
すなわち基板１０６の表面）とそれぞれのタッチパネルのタッチセンサ５９５（または入
力部６００）との距離を等しくすることで、入出力装置の検出感度の場所依存性（面内ム
ラとも呼ぶ）を小さくすることができる。
【０３９０】
本実施の形態は、他の実施の形態と適宜組み合わせることができる。
【実施例】
【０３９１】
本実施例では、本発明の一態様の表示装置を作製した例について示す。
【０３９２】
表示装置２０は、表示パネル８０を２×２のマトリクス状に（横方向および縦方向にそ
れぞれ２つずつ）計４つ有する。本実施例における表示パネル８０の仕様を表１に示す。
また、表示パネル８０が画像を表示している状態の写真を図２８（Ａ）に示す。
【０３９３】
【表１】
2019207421.tif 000003
【０３９４】
図２９は表示装置２０が画像を表示している状態の写真である。図２９における横方向
、縦方向はそれぞれ、図１（Ａ）および図４（Ａ）におけるＸ軸方向、Ｙ軸方向と対応し
ている。また表示装置２０は、板９０と、ステージ９１と、駆動回路６２と、調整手段６
３と、をそれぞれ４つ備え、かつフレーム２１を備える。
【０３９５】
図３０（Ａ）および図３０（Ｂ）には、表示装置２０を構成する４つの要素群６０のう
ち１つの写真を示している。要素群６０とは、表示パネル８０を板９０に固定したものを
、ステージ９１に接続したものである。図３０（Ａ）は、表示パネル８０の表示部４１が
見えるように斜め前方から見た要素群６０の写真である。また図３０（Ｂ）は、斜め後方
から見た要素群６０の写真である。
【０３９６】
図３０（Ａ）に示すように、表示パネル８０は表示部４１の２辺に隣接する位置に透明
部８２を有する。また図３０（Ｂ）に示すように、表示パネル８０は透明部８２と表示部
４１の一部が板９０の２辺から迫り出すように板９０と固定される。このような構成を有
することで、表示装置２０は、４つの表示パネル８０の表示部４１を継ぎ目なく並べるこ
とができ、表示部１１Ｃを１つの表示領域として不自然な継ぎ目のない画像や映像を表示
することができる（図２９参照）。本実施例においては、透明部８２の幅は約２ｍｍであ
る（図２８（Ｂ）参照）。なお図２８（Ｂ）は、図２８（Ａ）の破線で囲った領域を拡大
した写真である。
【０３９７】
また、図３０（Ｂ）に示すように、板９０が有する切り欠き５１、留め具５２およびガ
イド５３によって、板９０とステージ９１との接続における横方向および縦方向の位置合
わせを精密に行うことができる。また表示装置２０において、ステージ９１は調整手段６
３を介してフレーム２１に固定されている。調整手段６３としては実施の形態１と同様に
、Ｘ軸ステージ、Ｙ軸ステージおよびゴニオステージを組み合わせたものを用いている。
このような構成を有することで、表示装置２０は、４つの表示パネル８０の表示部４１が
隙間なくかつ平行に配置されるように、かつ隣接する表示パネル８０の表示部４１同士に
おいて表示のずれが生じないように、表示パネル８０の位置を高い精度で調整することが
できる。図３１（Ａ）に、表示装置２０が画像を表示している状態における継ぎ目付近を
拡大した写真を示す。図３１（Ａ）において破線で囲った領域に、表示部４１同士の継ぎ
目が含まれる。図３１（Ａ）から、表示装置２０において４つの表示パネル８０の表示部
４１が、継ぎ目に表示のずれがないように配置されていることが確認できる。
【０３９８】
なお、板９０が第１の面に固定具を備えていてもよい。表示パネル８０がＣＯＦ（Ｃｈ
ｉｐ  Ｏｎ  Ｆｉｌｍ）を有する場合に、該固定具によって板９０の第１の面にＣＯＦを
固定することができる。図３４は、固定具５４を第１の面の凸部曲面近傍に備えた板９０
及び板９０に固定した表示パネル８０の写真である。固定具５４は部材５４ａ及び部材５
４ｂからなる。部材５４ａの材料は特に限定されず、また部材５４ｂは絶縁体であること
が好ましい。部材５４ａは板９０と同様の材料を用いている。また部材５４ｂはプラスチ
ックを用いている。ネジ等で部材５４ｂに表示装置２０が有するＣＯＦを固定することで
、表示パネル８０が固定された板９０を運搬する際に表示パネル８０が破損することを防
ぐことができる。
【０３９９】
また、駆動回路６２は表示パネル８０の表示における色調や輝度などを調整する機能を
有するため、個々の表示パネル８０の表示能力のばらつきを補正することができる。よっ
て、表示装置２０は表示部１１Ｃにおいて色調や輝度のばらつきを抑えた表示品位の高い
表示を行うことができる。
【０４００】
図３１（Ｂ）に、表示装置２０を表示部１１Ｃに対して斜め前方から見た写真を示す。
図３１（Ｂ）に示すように、表示パネル８０の第１の部分４４は板５０の凸部曲面に沿っ
て表示パネル８０の表示面に対する裏面側に曲げられている。このような構成とすること
で、表示パネル８０の裏面側に配置された駆動回路６２と外部電極４６との接続を容易に
行うことができる。また、表示パネル８０を重ねる際に外部電極４６等が邪魔にならない
ため、表示部１１Ｃの表示面を階段状にすることなく、概ね平面状に構成することができ
る。なお、図３１（Ｂ）において下側（後方）の表示パネルを８０ａとし、上側（前方）
の表示パネルを８０ｂとしている。
【０４０１】
表示装置２０は、表示部１１Ｃのサイズが対角２７インチ（１つの表示パネル８０の表
示部４１のサイズは対角１３．５インチ）、有効画素数が２５６０×１４４０、画素サイ
ズが２３４μｍ×２３４μｍ、解像度が１０８ｐｐｉ、開口率が６１．０％である。スキ
ャンドライバは内蔵であり、ソースドライバはＣＯＦを用いて外付けした。
【０４０２】
図３２に、本実施例における表示パネル８０を６×６のマトリクス状に（横方向および
縦方向にそれぞれ６つずつ）計３６個有する表示装置１０が画像を表示している状態の写
真を示す。また図３３（Ａ）に表示装置１０の表示面の裏側の写真を、図３３（Ｂ）に図
３３（Ａ）の点線で囲んだ部分を拡大した写真を示す。なお図３３（Ｂ）は、図３３（Ａ
）において駆動回路６２に接続されているケーブル６４を外した状態の写真である。
【０４０３】
表示装置１０は、板９０と、ステージ９１と、駆動回路６２と、調整手段６３と、をそ
れぞれ３６個備え、かつフレーム２１を備える。また表示装置１０は、４つの映像信号分
割器２２と、２つの映像出力手段２３（図示しない）を備える。本実施例では、映像出力
手段２３として非圧縮ディスクレコーダを用いている。なお、表示装置１０は、表示部１
１Ｄのサイズが対角８１インチ、有効画素数が７６８０×４３２０（８Ｋ）である。
【０４０４】
本実施例では、表示部４１が備える発光素子として、白色の光を呈するタンデム（積層
）型の有機ＥＬ素子を用いた。発光素子は、トップエミッション構造であり、発光素子の
光は、カラーフィルタを通して発光パネルの外部に取り出される。
【０４０５】
トランジスタには、ＣＡＡＣ−ＯＳ（Ｃ  Ａｘｉｓ  Ａｌｉｇｎｅｄ  Ｃｒｙｓｔａｌ
ｌｉｎｅ  Ｏｘｉｄｅ  Ｓｅｍｉｃｏｎｄｕｃｔｏｒ）を用いたトランジスタを適用した
。ＣＡＡＣ−ＯＳは非晶質とは異なり、欠陥準位が少なく、トランジスタの信頼性を高め
ることができる。また、ＣＡＡＣ−ＯＳはレーザ結晶化が不要であるため、大面積のガラ
ス基板などであっても均一な成膜が可能である。またＣＡＡＣ−ＯＳは結晶粒界を有さな
いため、可撓性を有する表示パネルを湾曲させたときの応力によってＣＡＡＣ−ＯＳ膜に
クラックが生じにくい。
【０４０６】
ＣＡＡＣ−ＯＳは、膜面に概略垂直にｃ軸配向した酸化物半導体のことである。酸化物
半導体の結晶構造としては他にナノスケールの微結晶集合体であるｎａｎｏ−ｃｒｙｓｔ
ａｌ（ｎｃ）など、単結晶とは異なる多彩な構造が存在することが確認されている。ＣＡ
ＡＣ−ＯＳは、単結晶よりも結晶性が低く、ｎｃに比べて結晶性が高い。
【０４０７】
本実施例では、Ｉｎ−Ｇａ−Ｚｎ系酸化物を用いたチャネルエッチ型のトランジスタを
用いた。該トランジスタは、ガラス基板上で５００℃未満のプロセスで作製した。
【０４０８】
図２９および図３２に示す通り、本発明の一態様によって、使用者から表示部の継ぎ目
が認識されにくい、大型の表示装置を実現することができた。
【０４０９】
本実施例は、少なくともその一部を本明細書中に記載する実施の形態と適宜組み合わせ
て実施することができる。
【符号の説明】
【０４１０】
１０    表示装置
１１Ａ    表示部
１１Ｂ    表示部
１１Ｃ    表示部
１１Ｄ    表示部
２０    表示装置
２０Ａ    表示装置
２０Ｂ    表示装置
２１    フレーム
２１Ａ    フレーム
２１Ｂ    フレーム
２２    映像信号分割器
２３    映像出力手段
３０    表示パネル
３０ａ    表示パネル
３０ｂ    表示パネル
３１    画素
３１ａ    画素
３１ｂ    画素
３２    透明部
３２ｂ    透明部
３３ｃ    動作回路
３３ｄ    動作回路
３４ｃ    配線
３４ｄ    配線
３５    配線
３６    基板
３７    基板
３８    接着層
４０    表示パネル
４０ａ    表示パネル
４０ｂ    表示パネル
４１    表示部
４１ａ    表示部
４１ｂ    表示部
４２    透明部
４２ｂ    透明部
４３    動作回路部
４３ａ    動作回路部
４４    第１の部分
４４ａ    第１の部分
４４ｂ    第１の部分
４５    端子
４５ｂ    端子
４６    外部電極
４６ａ    外部電極
４６ｂ    外部電極
５０    板
５０ａ    板
５０ｂ    板
５２    留め具
５２ａ    留め具
５３    ガイド
５３ａ    ガイド
５４    固定具
５４ａ    部材
５４ｂ    部材
６０    要素群
６１    ステージ
６１ａ    ステージ
６１ｂ    ステージ
６２    駆動回路
６２ａ    駆動回路
６２ｂ    駆動回路
６３    調整手段
６３ａ    調整手段
６３ｂ    調整手段
６４    ケーブル
６４ａ    ケーブル
６４ｂ    ケーブル
６５    ケーブル
８０    表示パネル
８０ａ    表示パネル
８０ｂ    表示パネル
８２    透明部
８２ｂ    透明部
９０    板
９０ａ    板
９０ｂ    板
９１    ステージ
９１ａ    ステージ
９１ｂ    ステージ
１００    表示パネル
１０６    基板
１０７    接着層
３０１    表示部
３０２    画素
３０２Ｂ    副画素
３０２Ｇ    副画素
３０２Ｒ    副画素
３０２ｔ    トランジスタ
３０３ｃ    容量
３０３ｇ（１）    走査線駆動回路
３０３ｇ（２）    撮像画素駆動回路
３０３ｓ（１）    画像信号線駆動回路
３０３ｓ（２）    撮像信号線駆動回路
３０３ｔ    トランジスタ
３０４    ゲート
３０８    撮像画素
３０８ｐ    光電変換素子
３０８ｔ    トランジスタ
３０９    ＦＰＣ
３１１    配線
３１９    端子
３２１    絶縁層
３２８    隔壁
３２９    スペーサ
３５０Ｒ    発光素子
３５１Ｒ    下部電極
３５２    上部電極
３５３    ＥＬ層
３５３ａ    ＥＬ層
３５３ｂ    ＥＬ層
３５４    中間層
３６０    接着層
３６７Ｂ    着色層
３６７ＢＭ    遮光層
３６７Ｇ    着色層
３６７ｐ    反射防止層
３６７Ｒ    着色層
３８０Ｂ    発光モジュール
３８０Ｇ    発光モジュール
３８０Ｒ    発光モジュール
３９０    タッチパネル
５００    表示部
５００ＴＰ    タッチパネル
５０１    表示部
５０３ｇ    駆動回路
５０３ｓ    駆動回路
５０５Ａ    タッチパネル
５０５Ｂ    タッチパネル
５０９（１）    ＦＰＣ
５０９（２）    ＦＰＣ
５３１    電極
５３２    電極
５３３    電極
５３４    ブリッジ電極
５３６    電極
５３７    電極
５３８    交差部
５４１    配線
５４２    配線
５５０    ＦＰＣ
５６１    導電膜
５６２    導電膜
５６３    導電膜
５６４    ナノワイヤ
５９０    基板
５９１    電極
５９２    電極
５９３    絶縁層
５９４    配線
５９５    タッチセンサ
５９７    接着層
５９８    配線
５９９    接続層
６００    入力部
６０２    検知ユニット
６０３ｄ    駆動回路
６０３ｇ    駆動回路
６５０    容量素子
６５１    電極
６５２    電極
６５３    絶縁層
６６７    窓部
６７０    保護層
７０１    基板
７０３    接着層
７０５    絶縁層
７１１    基板
７１３    接着層
７１５    絶縁層
７２３    接着層
８０４    表示部
８０６    動作回路部
８０８    ＦＰＣ
８１０    透明部
８１５    絶縁層
８１６    絶縁層
８１７    絶縁層
８１７ａ    絶縁層
８１７ｂ    絶縁層
８２０    トランジスタ
８２１    絶縁層
８２２    接着層
８２３    スペーサ
８２４    トランジスタ
８２５    接続体
８３０    発光素子
８３１    下部電極
８３２    光学調整層
８３２Ｂ    光学調整層
８３２Ｒ    光学調整層
８３３    ＥＬ層
８３５    上部電極
８４５    着色層
８４７    遮光層
８４９    オーバーコート
８５６    導電層
８５７    導電層
８６０    補助電極
８６０ａ    導電層
８６０ｂ    導電層
８７０    トランジスタ
８７１    容量素子
【図１】
2019207421.tif 000004
【図２】
2019207421.tif 000005
【図３】
2019207421.tif 000006
【図４】
2019207421.tif 000007
【図５】
2019207421.tif 000008
【図６】
2019207421.tif 000009
【図７】
2019207421.tif 000010
【図８】
2019207421.tif 000011
【図９】
2019207421.tif 000012
【図１０】
2019207421.tif 000013
【図１１】
2019207421.tif 000014
【図１２】
2019207421.tif 000015
【図１３】
2019207421.tif 000016
【図１４】
2019207421.tif 000017
【図１５】
2019207421.tif 000018
【図１６】
2019207421.tif 000019
【図１７】
2019207421.tif 000020
【図１８】
2019207421.tif 000021
【図１９】
2019207421.tif 000022
【図２０】
2019207421.tif 000023
【図２１】
2019207421.tif 000024
【図２２】
2019207421.tif 000025
【図２３】
2019207421.tif 000026
【図２４】
2019207421.tif 000027
【図２５】
2019207421.tif 000028
【図２６】
2019207421.tif 000029
【図２７】
2019207421.tif 000030
【図２８】
2019207421.tif 000031
【図２９】
2019207421.tif 000032
【図３０】
2019207421.tif 000033
【図３１】
2019207421.tif 000034
【図３２】
2019207421.tif 000035
【図３３】
2019207421.tif 000036
【図３４】
2019207421.tif 000037
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
第１の表示パネルと、第２の表示パネルと、第１の駆動回路と、第２の駆動回路と、を有し、
前記第１の駆動回路は、前記第１の表示パネルを駆動する信号を出力する機能を有し、
前記第２の駆動回路は、前記第２の表示パネルを駆動する信号を出力する機能を有し、
前記第１の表示パネル及び第２の表示パネルは、それぞれ、可撓性を有し、
前記第１の表示パネルは、第１の動作回路部と、第１の外部電極と、第１の表示部と、第１の透明部と、を有し、
前記第２の表示パネルは、第２の動作回路部と、第２の外部電極と、第２の表示部と、第２の透明部と、を有し、
前記第１の動作回路部は、前記第１の表示部と隣接し、
前記第２の動作回路部は、前記第２の表示部と隣接し、
前記第１の透明部は、前記第１の動作回路部と重ならず、且つ前記第１の表示部と隣接し、
前記第２の透明部は、前記第２の動作回路部と重ならず、且つ前記第２の表示部と隣接し、
前記第１の動作回路部は、前記第１の表示部へ信号を出力する機能を有し、
前記第１の外部電極は、前記第１の駆動回路から出力された信号を前記第１の動作回路部に伝達する機能を有し、
前記第２の動作回路部は、前記第２の表示部へ信号を出力する機能を有し、
前記第２の外部電極は、前記第２の駆動回路から出力された信号を前記第２の動作回路部に伝達する機能を有し、
前記第１の表示部と、前記第２の透明部とが重なる、表示装置。
【請求項２】
請求項１に記載の表示装置であって、
映像信号分割器を備え、
前記映像信号分割器は、入力された映像信号または画像信号を複数の信号に分割して前記第１の表示パネル及び前記第２の表示パネルに出力する機能を有する、表示装置。